(57)【特許請求の範囲】
【請求項１】
底板部から位置決め用突部が立ち上げられた第１のケース部と該第１のケース部に開閉可能に連結される第２のケース部とを有するケース内に、取付孔が表裏を貫通する状態に設けられた遊技機用の制御基板を封止して構成されるとともに、
前記位置決め用突部の突端面が前記制御基板の裏面に当接する状態に前記制御基板及び前記第１のケース部の位置決めを行い、前記位置決め用突部の突端面で開口する雌ネジ部と前記取付孔とを連通するように位置合わせし、ビスの雄ネジ部を前記制御基板の表面側から前記取付孔を通過させて前記雌ネジ部に螺合することで、前記制御基板が第１のケース部に固定される制御基板装置であって
前記取付孔を取り囲む状態で、若しくは、切り欠き部が設けられつつ前記取付孔を取り囲む状態で、前記制御基板の裏面から突出し、平面形状が回転対称軸を備えない形状とされる位置決め用ランドを備え、
前記位置決め用突部を前記位置決め用ランドに嵌入することで、前記制御基板と前記第１のケース部とが位置決めされるとともに、前記雌ネジ部と前記取付孔とが連通するように位置合わせされることを特徴とする制御基板装置。
【請求項２】
前記位置決め用突部と前記位置決め用ランドを１組だけ設けたことを特徴とする請求項１に記載の制御基板装置。
【請求項３】
請求項１又は請求項２に記載の制御基板装置を備えることを特徴とする遊技機。
【発明の詳細な説明】
【０００１】
【発明の属する技術分野】
本発明は、制御基板装置及び遊技機に関し、特に、制御基板装置をケースに対して円滑に組付けるための技術に関する。
【０００２】
【従来の技術】
制御基板の中には、種々の目的で、所定のケース内に封止されて用いられるものがある。例えば、電子制御方式を採用する遊技機（パチンコ機等）においては、制御基板に実装された電子部品（ＲＯＭ等）の不正な交換を防止したり、監督官庁等の検査機関の検査の際に、検査の容易化・効率化を図る必要がある。また、遊技機を設置する遊技場（パチンコホール）側が、制御基板に不正な改造を加えていないことを検査機関に示すことも必要となる。このため、開閉可能に連結される第１のケース部と第２のケース部とからなるケース内に制御基板を収納すると共に、連結状態とされた第１のケース部と第２のケース部との間に封止手段を介在させ、ケースを封止することが行われている。
【０００３】
このように、制御基板をケース内に収納・封止して制御基板装置として用いる場合には、以下のような問題を生ずることがある。即ち、この種の制御基板装置においては、ケースを構成する２個のケース部のうちの一方において、その内壁面から複数の取付部を突出させるのが一般的である。そして、制御基板に貫通状に穿設された複数の取付孔を、この複数の取付部に位置合わせする。更に、各取付部の突端面に開口する雌ネジ部に対して、制御基板の上方から各取付孔を通じ、固定用のビスを螺合することで、制御基板を「一方のケース部」に固定する。次いで、第１のケース部と第２のケース部とを連結し、両ケース部間に封止手段を介在させるのが一般的である。
【０００４】
ところが、この手法を用いると、制御基板に隠れてブラインド状態となる各取付部（特に、雌ネジ部）と、各取付孔との位置合わせを行うことが必要なため、制御基板装置の組付作業の効率が悪くなり、制御基板装置を効率良く量産することが困難である。特に、機械を用いた自動組付を行う場合には、制御基板の取付位置がずれ易いことが、大きな問題となっている。そして、このような問題を解決することを意図して、上記「一方のケース部」の内壁面から位置決め用のピンを突出させ、このピンを制御基板の位置決め用の孔に挿通させ、制御基板と上記「一方のケース部」との位置決め作業を行う制御基板装置が開示されている。（特開２００１−１７８９３５）。
【０００５】
【発明が解決しようとする課題】
しかし、この従来例においても、制御基板の下方に隠れてブラインド状態となる「位置決め用のピン」と、制御基板の位置決め用の孔との位置合わせが必要となる。従って、この従来例によると、制御基板装置の組付作業、ひいては、遊技機の製造作業の効率を向上させることは困難である。
【０００６】
本発明は、上記問題点に鑑みてなされたものであり、制御基板装置の組付作業の効率を向上させる制御基板装置の組付方法を提供することを目的とする。
【０００７】
本発明の他の目的は、十分な突出量を備えた位置決め手段を用いることで、制御基板装置の組付作業の効率を更に高くすることである。
【０００８】
本発明の更に他の目的は、位置決め用ランドの形成上の手間を低減することである。
【０００９】
本発明の更に他の目的は、位置決め用ハンダ層の形成上の手間を低減することである。
【００１０】
本発明の更に他の目的は、組付作業の効率を向上させることができる制御基板装置を提供することである。
【００１１】
本発明の更に他の目的は、十分な突出量を備えた位置決め手段を備えることで、組付作業の効率が更に高まる制御基板装置を提供することにある。
【００１２】
本発明の更に他の目的は、制御基板をケースによって確実に封止できる制御基板装置を提供することにある。
【００１３】
本発明の更に他の目的は、主制御部を含んだ制御基板装置を備えた遊技機において、制御基板装置の組付作業の効率を向上させることである。
【００１４】
本発明の更に他の目的は、主制御部と、この主制御部に電気的に接続された払出制御部とを含んだ制御基板装置を備えた遊技機において、制御基板装置の組付作業の効率を向上させることである。
【００１５】
本発明の更に他の目的は、主制御部と、この主制御部に電気的に接続された払出制御部との一方又は双方を含んだ制御基板装置を備えた遊技機において、制御基板装置の組付作業の効率を向上させることである。
【００１６】
【課題を解決するための手段】
本明細書において参考的に開示する第１の参考発明（以下、「参考発明１」という。）の制御基板装置の組付方法は、制御基板をケース内に封止するようにした制御基板装置の組付方法であって、
基板用基材に位置決め用ランドを形成する位置決め用ランド形成工程と、
前記ケースに設けられた位置決め用突部及び前記位置決め用ランドを位置合わせして、前記基板用基材を用いて構成される制御基板及び該ケースの位置決めを行う位置決め工程と、
を含むことを特徴とする。
【００１７】
参考発明１では、基板用基材（絶縁基板）に形成される位置決め用ランドと、ケースの位置決め用突部とを位置合わせして、制御基板とケースとの位置決めを行う。即ち、位置決め用突部が制御基板によって隠蔽されていても、制御基板を適宜、左右・前後等に移動すれば、位置決め用ランドと位置決め用突部とが位置合わせされ、制御基板とケースとの位置決めを簡単に行うことができる。このように、参考発明１によると、制御基板とケースとの位置決めが簡単なため、制御基板装置の組付作業の効率が向上する。
【００１８】
特に、位置決め用突部及び位置決め用ランドの位置合わせによって、確実に制御基板の位置決めを行うことができるため、機械を用いた自動組付を行うことが容易となり、制御基板装置の量産を効率的に行うことができる。
【００１９】
本明細書において参考的に開示する第２の参考発明（以下、「参考発明２」という。）の制御基板装置の組付方法は、参考発明１の制御基板装置の組付方法において、前記位置決め用ランドに位置決め用ハンダ層を積層形成する工程を含むと共に、
前記位置決め工程は、前記位置決め用ランド及び該位置決め用ハンダ層を含んで構成される位置決め手段と、前記位置決め用突部と、の位置合わせによって行われることを特徴とする。
【００２０】
参考発明２は、位置決め用ランドと、この位置決め用ランドに積層形成された位置決め用ハンダ層と、を備えた位置決め手段を構成し、この位置決め手段を用いて、制御基板とケースとの位置決めを行う。即ち、位置決め用ハンダ層の形成分だけ、突出量が多くなった位置決め手段を用いて制御基板とケースとの位置決めを行うため、この位置決めの作業がより容易となり、制御基板装置の組付作業の効率が更に高くなる。尚、位置決め用ハンダ層は、位置決め用ランド（位置決め用ランド上にメッキ層等の中間層があれば、位置決め用ランド及び中間層）よりも、厚手に形成することが容易である分だけ、位置決め用ハンダ層の付加された位置決め手段の突出量を多くすることが容易である。
【００２１】
本明細書において参考的に開示する第３の参考発明（以下、「参考発明３」という。）の制御基板装置の組付方法は、参考発明１又は参考発明２の制御基板装置の組付方法において、前記位置決め用ランドの形成は、基板用基材への導体パターンの形成と同時に行われることを特徴とする。
【００２２】
参考発明３では、導体パターンの形成（例えば、エッチング工程）の際に、位置決め用ランドをあわせて形成する。例えば、表裏面の少なくとも一方に導体層（銅箔等）を配置した基板用基材に対して、エッチングを施し、この基板用基材に導体パターンを形成するときに、この導体層（銅箔等）の一部を用いて、前記位置決め用ランドを同時形成する。即ち、位置決め用ランドの形成工程を、別途独立の工程として、制御基板の製造工程に付加することが必要とされないため、位置決め用ランドの形成が原因で、制御基板装置の製造上の手間を多くすることはない。
【００２３】
本明細書において参考的に開示する第４の参考発明（以下、「参考発明４」という。）の制御基板装置の組付方法は、参考発明２又は参考発明３の制御基板装置の組付方法において、前記位置決め用ハンダ層は、前記基板用基材に、ハンダを用いて電子部品を実装するときに同時に形成されることを特徴とする。
【００２４】
参考発明４によると、ハンダを用いて電子部品を実装する際に、位置決め用ハンダ層をあわせて形成する。即ち、位置決め用ハンダ層の形成工程を、別途独立の工程として制御基板の製造工程に付加することが必要とされないため、位置決め用ハンダ層の形成が原因となり、制御基板装置の製造上の手間を多くすることはない。
【００２５】
請求項１記載の制御基板装置は、
底板部から位置決め用突部が立ち上げられた第１のケース部と該第１のケース部に開閉可能に連結される第２のケース部とを有するケース内に、取付孔が表裏を貫通する状態に設けられた遊技機用の制御基板を封止して構成されるとともに、
前記位置決め用突部の突端面が前記制御基板の裏面に当接する状態に前記制御基板及び前記第１のケース部の位置決めを行い、前記位置決め用突部の突端面で開口する雌ネジ部と前記取付孔とを連通するように位置合わせし、ビスの雄ネジ部を前記制御基板の表面側から前記取付孔を通過させて前記雌ネジ部に螺合することで、前記制御基板が第１のケース部に固定される制御基板装置であって
前記取付孔を取り囲む状態で、若しくは、切り欠き部が設けられつつ前記取付孔を取り囲む状態で、前記制御基板の裏面から突出し、平面形状が回転対称軸を備えない形状とされる位置決め用ランドを備え、
前記位置決め用突部を前記位置決め用ランドに嵌入することで、前記制御基板と前記第１のケース部とが位置決めされるとともに、前記雌ネジ部と前記取付孔とが連通するように位置合わせされることを特徴とする。
請求項２記載の制御基板装置は、請求項１に記載の制御基板装置において、
前記位置決め用突部と前記位置決め用ランドを１組だけ設けたことを特徴とする。
本明細書において参考的に開示する第５の参考発明（以下、「参考発明５」という。）の制御基板装置は、制御基板をケース内に封止するようにした制御基板装置であって、
前記制御基板が、前記ケースに設けられた位置決め用突部と位置合わせされる位置決め用ランドを備えることを特徴とする。
【００２６】
請求項１の発明及び参考発明５は、参考発明１の発明と同様に、基板用基材（絶縁基板）に形成される位置決め用ランドと、ケースの位置決め用突部とを位置合わせして、制御基板とケースとの位置決めを行うため、制御基板装置の組付作業の効率が向上する。
【００２７】
本明細書において参考的に開示する第６の参考発明（以下、「参考発明６」という。）の制御基板装置は、参考発明５の制御基板装置において、前記位置決め用ランドに積層形成された位置決め用ハンダ層を備えると共に、
前記位置決め用ランド及び該位置決め用ハンダ層を含んで構成される位置決め手段と、前記ケースに設けられた位置決め用突部とが位置合わせされることを特徴とする。
【００２８】
参考発明６においても、参考発明２と同様に、位置決め用ランドと、この位置決め用ランドに積層形成された位置決め用ハンダ層とで位置決め手段を構成し、この位置決め手段を用いて、制御基板とケースとの位置決めを行う。即ち、位置決め用ハンダ層の形成分だけ、突出量が多くなった位置決め手段を用いて制御基板とケースとの位置決めを行うため、この位置決めの作業がより容易となり、制御基板装置の組付作業の効率が更に高くなる。尚、位置決め用ランド上にメッキ層等の中間層が積層形成されていれば、この位置決め手段は、位置決め用ランドと、中間層と、位置決め用ハンダ層とを備えたものとなる。
【００２９】
本明細書において参考的に開示する第７の参考発明（以下、「参考発明７」という。）の制御基板装置は、参考発明５又は参考発明６の制御基板装置において、前記ケースは、第１のケース部と、該第１のケース部に開閉可能に連結される少なくとも１つの第２のケース部とを有し、
連結状態とされた該第１のケース部と該第２のケース部との間に封止手段を介在させ、前記ケースが開放されることを禁止することを特徴とする。
【００３０】
参考発明７においては、第１のケース部と第２のケース部との間に封止手段を介在させるため、制御基板をケースによって確実に封止できる。尚、参考発明７の第２のケース部は、１つ以上であればその数は特に問わない。
【００３１】
本明細書において参考的に開示する第８の参考発明（以下、「参考発明８」という。）の遊技機は、参考発明５、参考発明６及び参考発明７のうちの何れかの発明に係る制御基板装置を備えた遊技機であって、
前記制御基板装置は、制御プログラムが格納された記憶手段から前記制御プログラムを読み出して遊技に関する作動制御を司る主制御部を含むことを特徴とする。
【００３２】
参考発明８は、参考発明５、参考発明６及び参考発明７のうちの何れか発明に係る制御基板装置を適用した遊技機を示している。主制御部を含んだ制御基板装置を備えた遊技機において、この遊技機にとって最も重要で、不正の対象とされ易い制御部、即ち、主制御部を構成する制御基板をケース内に確実に保護すると共に、この制御基板装置の組付作業の効率を向上させることができる。
【００３３】
請求項３に記載の遊技機は、請求項１又は請求項２に記載の制御基板装置を備えることを特徴とする。
本明細書において参考的に開示する第９の参考発明（以下、「参考発明９」という。）の遊技機は、参考発明５、参考発明６及び参考発明７のうちの何れかの発明に係る制御基板装置と、制御プログラムが格納された記憶手段から前記制御プログラムを読み出して遊技に関する作動制御を司る主制御部とを備えた遊技機であって、
前記制御基板装置は、前記主制御部に電気的に接続され、遊技球の賞球払出制御を司る払出制御部を含むことを特徴とする。
【００３４】
参考発明９も、参考発明５、参考発明６及び参考発明７のうちの何れか発明に係る制御基板装置を適用した遊技機を示している。主制御部と、この主制御部に電気的に接続された払出制御部とを含んだ制御基板装置を備えた遊技機において、この遊技機にとって主制御部と並んで重要で、不正の対象とされ易い制御部、即ち、払出制御部を構成する制御基板をケース内に確実に保護すると共に、この制御基板装置の組付作業の効率を向上させることができる。
【００３５】
本明細書において参考的に開示する第１０の参考発明（以下、「参考発明１０」という。）の遊技機は、参考発明５、参考発明６及び参考発明７のうちの何れかの発明に係る制御基板装置を備えた遊技機であって、
前記制御基板装置は、制御プログラムが格納された記憶手段から前記制御プログラムを読み出して遊技に関する作動制御を司る主制御部と、前記主制御部に電気的に接続され、遊技球の賞球払出制御を司る払出制御部との一方又は両方を含むことを特徴とする。
【００３６】
参考発明１０も、参考発明５、参考発明６及び参考発明７のうちの何れか発明に係る制御基板装置を適用した遊技機を示している。即ち、主制御部及び払出制御部は、共に不正の対象とされ易い制御部であるため、主制御部及び払出制御部の少なくとも一方を、ケース内に確実に保護すると共に、この制御基板装置の組付作業の効率を向上させることができる。
【００３７】
ここで、請求項１〜３の各発明、及び、参考発明１〜参考発明１０において、「制御基板」とは、「導体パターンや位置決め用ランド等の形成」、「電子部品の実装」等を完了し、ケース内に収納可能な状態となった基板、即ち、完成品となった基板を指す。また、基板用基材とは、「電子部品の実装工程」前の基板を指す。更に、参考発明１〜参考発明１０において、「位置決め用突部」は、制御基板とケースとの位置決めのために、ケースに対して別途設けられるものであってもよいが、制御基板とケースとの固定のために、ケースに設けられる取付部を、そのまま位置決め用突部として用いてもよい。例えば、ケースの内壁面から取付部を突出させ、取付部の突端面に雌ネジ部を開口させる。そして、制御基板がケースに収納されたときに、この制御基板における「取付部の雌ネジ部と位置合わせされる個所」に取付孔を設ける。更に、制御基板の「取付部の突端面が当接する側の面」において、取付孔の周囲に位置決め用ランドや位置決め用手段を形成すればよい。
【００３８】
尚、参考発明１〜参考発明４のうちの何れかの発明の「構成要件」を含む「制御基板装置の製造方法」を得ることもできる。即ち、「制御基板をケース内に封止するようにした制御基板装置の製造方法」において、「基板用基材に位置決め用ランドを形成する位置決め用ランド形成工程」と、「前記ケースに設けられた位置決め用突部及び前記位置決め用ランドを位置合わせして、前記基板用基材を用いて構成される制御基板及び該ケースの位置決めを行う位置決め工程」と、を含むことを特徴としてもよい（以下、第１の製造方法という。）。
【００３９】
また、この第１の製造方法において、「前記位置決め用ランドに、位置決め用ハンダ層を積層形成する工程」を含むと共に、「前記位置決め工程は、前記位置決め用ランド及び該位置決め用ハンダ層を含んで構成される位置決め手段と、前記位置決め用突部と、の位置合わせによって行われること」を特徴としてもよい（以下、第２の製造方法という。）。更に、第１の製造方法若しくは第２の製造方法において、「前記位置決め用ランドの形成は、基板用基材への導体パターンの形成と同時に行われること」を特徴としてもよい（以下、第３の製造方法という。）。また、第２の製造方法又は第３の製造方法において、「前記位置決め用ハンダ層は、前記基板用基材に、ハンダを用いて電子部品を実装するときに同時に形成されること」を特徴としてもよい。
【００４０】
【発明の実施の形態】
以下、本発明を具体化した実施態様について図面を参照して説明する。ここでは、本発明の一実施例による制御基板装置が適用された遊技機を例示する。また、この遊技機としては、いわゆる「フィーバー機」と呼ばれるタイプの第一種パチンコ機（弾球遊技機）を例にとり、先ず、その構造を図１〜図１１を参照して説明する。
【００４１】
（１）パチンコ機１の前面構造
本パチンコ機１の前面部は、図１に示すように、本体枠２と、中枠３と、前面枠４と、上皿部５と、下皿部６と、施錠装置７とを備える。このうち、本体枠２は、木製の板状体を略長方形の額縁状に組み立て固着したものである。また、中枠３は、略全体がプラスチック製で、枠体部（図示略）と下板部（図示略）とを有して本体枠２の内周側に嵌合し取り付けられている。ここで、枠体部は、上端から下方へ中枠３全体の略２／３程度に略長方形の額縁状に形成され、上端部には、開口部４ａの上端部の円弧部分に沿って枠飾りランプが設けられ、これらに対応して、枠飾りランプ基板４ｇ（図３参照）が設置されている。それらの左側上方には、ストップ表示ＬＥＤ及びストップ表示ＬＥＤ基板４ｉ（図３参照）が設けられている。
【００４２】
また、下板部は、下端から上方へ中枠３全体の略１／３程度を占め、左側には、上皿部５に形成されたスピーカ面５ａに対応すべく、遊技状態に応じた効果音その他の音（以下、音声情報等という。）を発生させるスピーカ１３７が配設され、略右側には、遊技球を発射する発射装置ユニットへ上皿部５に貯留された遊技球を供給する供給装置等（図示略）が設けられている。更に、下方には、下皿部６が設けられ、右端中央には施錠装置７が設けられている。
【００４３】
下皿部６は、灰皿６ｃや下皿球抜きレバー６ｄ等を備えて、プラスチック製の下皿外枠６ｂで、皿部の外側を覆っている。また、パチンコ機１の内部から遊技球を排出するための排出口６ａが開設され、右端に発射装置を制御する発射ハンドル１０が設けられている。この発射ハンドル１０は、把持部１０ｄと、発射レバー５５を備え、把持部１０ｄの先端に遊技者がタッチしていることを検出するタッチスイッチ１０ａが装着されている。また、この発射ハンドル１０の近傍には、発射停止を一時的に指令する発射停止スイッチ１０ｂが配置されている。尚、施錠装置７は、正面視すると、鍵穴を備えた略長方形状を呈し、前面枠４を閉鎖した場合に施錠するためのものである。
【００４４】
前面枠（主要部がプラスチック製）４は、遊技盤８を前方から視認すべく、遊技盤８に形成された遊技領域９の形状に対応して上側が略円弧状を呈し、全体が略弾丸形状に開設された開口部４ａを有している。そして、その裏面には、開口部４ａに応じてガラス板が嵌められた略長方形状のガラス枠（図示略）が装着されている。また、この前面枠４は、パチンコ機１の前面全体の２／３を占め、中枠３の左端に軸着され開閉可能に形成されている。
【００４５】
上皿部５は、前面枠４の下側で、中枠３の左端に軸着され開閉可能に形成されている。また、皿外縁部５ｂの上面には、球抜きボタンや遊技球貸出・返却ボタン等が配設されている。更に、パチンコ機１の内部から遊技球を排出するための排出口５ｃが開設されている。また、左端には、複数の長孔を有するスピ−カ面５ａが形成され、その裏面には、音量スイッチ基板が設けられている。そして、パチンコ機１の左端側には、プリペイドカードユニット２ｐが装着されている。
【００４６】
（２）遊技盤８の表面構造
次に、遊技盤８の表面構造を説明する。この遊技盤８は、図１に示すように、略長方形の木製の板状体であって、中枠３により保持されている。また、遊技盤８の表面に設けられた外レール１４と、内レール１５とにより略円形状に形成される遊技領域９内に、特別図柄表示装置１６と、第一種始動口（普通電動役物）１７と、変動入賞装置１８と、左入賞口１９と、右入賞口２０と、多数の障害釘１１と、一対の風車２４，２５等が配設されて、構成されている。
【００４７】
特別図柄表示装置１６は、遊技領域９の略中央部に配置され、センター役物１２と、液晶表示盤１２ａとを備えている。この液晶表示盤１２ａの映像画面は、略長方形状を呈しており、その表示画面上に、１又は複数の特別図柄を所定の形態で次々と変動させながら表示した後、確定表示する特別図柄表示領域が形成されている。即ち、左特別図柄を表示する左特別図柄表示領域、中特別図柄を表示する中特別図柄表示領域、及び右特別図柄を表示する右特別図柄表示領域が、横一列に設定された配置方向においてこの順序で並んで形成されている。
【００４８】
各特別図柄表示領域は、これらの表示領域の配置方向と略直交する向き若しくは略平行方向、この場合、上下方向若しくは水平方向に図柄変動方向が設定され、その向きで変動しているように識別情報としての複数の図柄（特別図柄）が順次表示されていく。また、この液晶表示盤１２ａは、遊技球が第一種始動口（普通電動役物）１７に入球することにより、その映像画面の前記表示領域に表示される各特別図柄をそれぞれ変動させて確定表示させるものである。そして、図柄が、「７、７、７」の如く、同一図柄で揃って確定表示すると、変動入賞装置１８に配設された大入賞口２３が開放される。また、センター役物１２は、液晶表示盤１２ａの前面周辺部に額縁状に突設して装着され、普通図柄表示装置１３と、特別図柄保留表示ＬＥＤ１６ａと、ステージ１２ｅと、図示しないステージ飾り通路とを備えている。
【００４９】
普通図柄表示装置１３は、センター役物１２の上部中央に配置され、７セグメント表示器１３ｂと、普通図柄保留表示ＬＥＤ１３ｃとを備えている。このうち、７セグメント表示器１３ｂは、１〜９の奇数数字を変動表示させるもので、センター役物１２の下側部の左右の普通図柄作動通過口２６、２７の何れかを遊技球が通過することにより変動して、所定時間経過後に１種類の奇数数字が確定表示される。そして、例えば、「７」で確定表示すると、第一種始動口（普通電動役物）１７のチューリップ型開放扉が、第一種始動口開口ソレノイド１７ｃ（図３参照）により、所定時間（例えば、０．５秒）拡開口される。
【００５０】
普通図柄作動通過口２６、２７と通過口出口間には、それぞれ図示しない通過筒部が設けられている。そして、前記普通図柄作動通過口２６、２７へ入球した遊技球は、内部に配設された左、右普通図柄作動通過口通過検知器２６ｓ、２７ｓで検出される（図３参照）。更に、左、右普通図柄作動通過口通過検知器２６ｓ、２７ｓの何れかの検出により、普通図柄表示装置１３における７セグメント表示器１３ｂの変動表示が開始される。
【００５１】
特別図柄保留表示ＬＥＤ１６ａは、センター役物１２の上部中央に配設され、４個の赤色ＬＥＤで構成されている。これは、第一種始動口（普通電動役物）１７に入球した遊技球の数を最多４個まで保留とし、入球ごとに順次点灯し、シフト（追加）表示するものである。そして、次の特別図柄の変動が開始するたびに、未始動回数が消化され、１個の特別図柄保留表示ＬＥＤ１６ａは消灯される。
【００５２】
第一種始動口（普通電動役物）１７は、センター役物１２の中央真下に配設されている。また、変動入賞装置１８は、上記第一種始動口（普通電動役物）１７の下方に配設され、大入賞口２３と、左下入賞口２１と、右下入賞口２２と共に取り付けられている。更に、変動入賞装置１８は、略中央に形成され、帯状に開口された大入賞口２３と、この大入賞口２３を開放・閉鎖する開閉板２３ｂと、この開閉板２３ｂを開閉するための大入賞口ソレノイド２３ｃと、特定領域（図示略）と、連動杆（図示略）と、特定領域開閉シャッター（図示略）と、この特定領域開閉シャッターを作動させるための特定領域開閉ソレノイド（図示略）と、カウント検知器２３ｓと、特定領域通過検知器２３ｖ（図３参照）と、裏箱（図示略）と、大入賞口中継基板（図示略）等から構成されている。
【００５３】
左下入賞口２１の下方では、複数個の左下入賞口ＬＥＤ（図示略）が左下入賞口ＬＥＤ基板２１ｆに取り付けられると共に、飾りレンズ２１ａによって被覆されている。同様に、右下入賞口２２の下方では、複数個の右下入賞口ＬＥＤ（図示略）が右下入賞口ＬＥＤ基板２２ｆに取り付けられると共に、飾りレンズ２２ａによって被覆されている。
【００５４】
ファール球防止部材２８は、内レール１５の先端部に取り付けられ、返しゴム２９は、ファール球防止部材２８の位置とは反対側の、遊技盤８の右半分側の位置であって、外レール１４に沿って嵌合状に取り付けられている。
【００５５】
左入賞口１９及び右入賞口２０はそれぞれ、特別図柄表示装置１６の左右両側の下方に配置されている。そして、その内部にはそれぞれ、左入賞口通過検知器１９ｓ、右入賞口通過検知器２０ｓが設けられている（図３参照）。また、左入賞口１９及び右入賞口２０はそれぞれ、特別図柄表示装置１６から左右斜め下方に配置されている。尚、多数の障害釘１１は、以上説明した各装置との位置バランスを考慮して、遊技領域９にパチンコ遊技に適するべく、配設されている。
【００５６】
（３）パチンコ機１の裏面構造
本実施例の遊技機１の裏面構造について、図２を中心にして説明する。前面枠４は、図１に示すように、中枠３にあって前面枠４の上下端の位置に設けられた一対のヒンジ３０により、開閉可能に支持されている。また、機構盤３１は、図２に示すように、中枠にあって機構盤３１の上下端の位置に設けられた一対のヒンジ３２により、開閉可能に支持されている。更に、遊技盤８は、中枠３の裏面側から着脱可能に取り付けられている。また、上端側にあるヒンジ３２の配置位置からみて左側には、タンク球切れ検知器３３ｓをタンク底部に備えた賞球タンク３３と、この賞球タンク３３に接続されるタンクレール３４とが取り付けられている。更に、このタンクレール３４の右側には、球抜きレバー３５が設けられ、その下流側には、補給球切れ検知器３６が、更に、その下流側には、賞球払出装置３７が配設されている。
【００５７】
また、遊技球の振分部（図示略）が賞球払出装置３７の下流側に設けられている。そして、タンクレール３４の下側には、特別図柄表示装置１６における液晶表示盤１２ａの表示態様を制御する特別図柄制御部１１０（図３参照）を格納した蓋付きの裏ケース４１が、着脱可能に設けられている。また、この裏ケース４１の下側には、主制御基板ケース２００に、主制御部９０（図３参照）を格納して構成される第１の制御基板装置４２が、着脱可能に装着されている。更に、主制御基板ケース６０の下側には、発射装置制御部４３ａ（図３参照）を格納した発射装置制御基板ケース４３と、発射中継基板４３ｂ（図３参照）とが設けられている。また、機構盤３１の右下方部には、枠制御基板ケース４００に、枠制御部１００（図３参照）を格納して構成される第２の制御基板装置４４が、着脱可能に装着されている。この枠制御部１００は、「補給球詰まり」、「下皿部満タン」、「主電源圧異常」、「発射停止」、「主制御基板通信異常」、「賞球モータ異常」等を７セグメントＬＥＤで表示する枠状態表示器１１７を備えている。また、この枠制御部１００は、後述するように、主制御部９０に電気的に接続されると共に、遊技球の賞球払出制御を司る払出制御部１００ａ（図３参照）としても機能する。
【００５８】
ここで、主制御基板ケース２００及び枠制御基板ケース４００は、本各発明の「ケース」の一具体例を示しており、これらのケース２００、４００の詳細に関しては、後述する。また、主制御基板ケース２００に収納された主制御部９０は、参考発明８〜参考発明９に示す「主制御部」の一具体例を示しており、枠制御基板ケース４００に格納された枠制御部１００（払出制御部１００ａ）は、参考発明９及び参考発明１０に示す「払出制御部」の一具体例を示している。
【００５９】
機構盤３１の右上端部には、ヒューズボックス４５、電源スイッチ４６ａ及び電源ターミナル基板４７により構成される電源ユニット４６（図３）と、大当たり情報、発射装置制御情報、球切れ情報、扉開放情報、賞球情報、球貸し情報用等の遊技機の遊技状況を外部に送信するための外部接続端子を備えた外部接続端子基板４８等、が設けられている。また、外部からの電力の供給を受けるための電源ケーブル５０用の電源ケーブル端子５０ａが、外部接続端子基板４８の下側部に配設されている。更に、枠制御基板ケース４４からは、接続ケーブル５１が上方へ延出され、この接続ケーブル５１は、ＣＲ電源ケーブル５２を備えたプリぺイドカードユニット２ｐに接続されている。また、機構盤３１の略中央下端部には、排出口６ａを構成する排出口部材５３が設けられている。
【００６０】
（４）電子制御装置
本実施例のパチンコ機１の電子制御装置８０について、図３〜図５を参照して説明する。この電子制御装置８０は、図３に示すように、主制御部９０と、枠制御部１００と、特別図柄の表示制御を行う特別図柄制御部１１０と、を含んで構成されている。
【００６１】
主制御部９０は、ＣＰＵ９１とＲＡＭ９２とＲＯＭ９３とを有する主回路部９０ａと、入出力回路部９４と、を内部バス９５ａにより相互に接続したものである｛図４（ａ）、図１０及び図１１参照｝。そして、ＣＰＵ９１は、ＲＯＭ９３に格納された制御プログラムにより、内蔵ＲＡＭ９２をワークエリアとしてパチンコ機１の遊技を制御する。また、主制御部９０は、特別図柄制御部１１０と共に、表示態様制御を行う。しかも、ＲＯＭ９３に記憶された当否判定プログラムにより、ＣＰＵ９１が主体となって当否判断制御を行う。
【００６２】
主制御部９０は、各種検知器からの出力信号に基づいて遊技状態を判断し、また、その遊技状態に基づいて当否判定を行うと共に、判定内容に対応する図柄表示態様で、普通図柄表示制御を行うべくデータを読み込み、特別図柄表示装置の表示態様を定める指令信号を特別図柄制御部１１０へ送信する。例えば、主制御部９０は、第一種始動口（普通電動役物）入賞検知器１７ｓ、上記した各種入賞検知器１９ｓ〜２３ｓ、２３ｖ等の検知結果や、特別図柄当否判定乱数の取得値等を使用して、「遊技が行われていない客待ちの状態」、「遊技は行われているが始動入賞がない状態（変動準備状態）」、「始動入賞があった状態」、及び「特別遊技状態」等を判断する。
【００６３】
第一種始動口（普通電動役物）入賞検知器１７ｓにより、始動入賞が検知されると、乱数値に基づいて当否判定が行われ、その判定結果に基づいて特別図柄の変動（リーチ表示態様を含む）、又は確定等の表示態様制御のためのデータが読み込まれる。このデータは、特別図柄制御部１１０を作動指令対象とする指令信号として、共有バス９５を介して送信される。
【００６４】
発射中継基板４３ｂには、タッチスイッチ１０ａ、発射スイッチ１０ｃ、発射停止スイッチ１０ｂの出力が接続されている。また、左普通図柄作動通過口検知器２６ｓ、右普通図柄作動通過口検知器２７ｓ、第一種始動口（普通電動役物）入賞検知器１７ｓ、カウント検知器２３ｅ、特定領域通過検知器２３ｖ、左入賞口通過検知器１９ｓ、右入賞口通過検知器２０ｓ、左下入賞口通過検知器２１ｓ、右下入賞口通過検知器２２ｓの検知信号は、主制御部９０へ送信されるようになっている。更に、補給球切れ検知器３６等は、端子基板４９を経由して前記枠制御部１００へ接続され｛図４（ｂ）参照｝、発射中継基板４３ｂの出力端子は、発射装置制御部４３ａと接続されている。
【００６５】
枠制御部１００は、主制御部９０と同様な演算回路を含んで構成されている。即ち、主回路部１０１及び出力回路部１０４を含んだ第１周辺基板１０８で構成され｛図４（ｂ）参照｝、その入力端子が入出力回路部１０４と接続されると共に、出力端子は入出力回路部１０４から端子基板４９、ランプ制御部１２０を経由して枠飾りランプ基板４ｇ、各種ＬＥＤ基板４ｄ、４ｆ、音量スイッチ基板１３６、普通図柄表示装置基板１３ｄ、各種ソレノイド１７ｃ、２３ｃ等、サウンドジェネレーター１３５｛図５（ｃ）参照｝と接続されたり、直接、賞球払出装置３７、発射装置制御部４３ａ等と接続されている。
【００６６】
賞球動作は、以下の手順で実行される。即ち、主制御部９０は、（１）遊技球がカウント検知器２３ｓ又は特定領域通過検知器２３ｖを通過したら１５個の賞球個数データを、（２）遊技球が第一種始動口（普通電動役物）１７を通過したら６個の賞球個数データを、（３）遊技球が、左入賞口１９、右入賞口２０、左下入賞口２１、右下入賞口２２に入賞したことを、各々の入賞口検知器１９ｓ〜２２ｓが検知した場合においては１０個の賞球個数データを、枠制御部１００に対してその検知順に、枠制御部１００を作動指令対象とする指令信号として送信する（即ち、固有賞球個数は、ここでは、６個、１０個或いは１５個である。）。そして、枠制御部１００は、主制御部９０からの賞球個数データを受け取り、賞球払出装置３７への賞球払出信号の送信により賞球払出装置３７を作動させる。
【００６７】
特別図柄制御部１１０は、ＶＤＰ（ビデオディスプレイプロセッサ）１１６を含んだ第２周辺基板１１８で構成されている。また、ＶＤＰ１１６は、演算回路構成要素として、ＣＰＵ１１１と、ＲＡＭ１１２と、ＲＯＭ１１３と、入出力ポート１１４等を有し、この演算回路構成要素はバス１１５により相互に接続して構成され、入出力ポート１１４において共有バス９５に接続されている。更に、入出力ポート１１４には、液晶表示盤１２ａが接続されている｛図５（ａ）参照｝。また、ＶＤＰは、ＣＰＵ１１１でもってＲＯＭ１１３に格納された制御プログラムにより、ＲＡＭ１１２をワークエリアとして主制御部９０から送信されてきた指令コマンドに基づき表示基板である液晶画面に表示可能な信号に演算し、解析され、その解析に基づいて特別図柄表示装置１６（液晶表示盤１２ａ）の作動制御（即ち、表示装置の表示制御）を行っている。
【００６８】
ランプ制御部１２０は、特別図柄制御部１１０と同様な演算回路構成要素１２１〜１２４を含んだ第三周辺制御基板１２８で構成され、入出力ポート１２４｛図５（ｂ）参照｝において共有バス９５に接続されている。この入出力ポート１２４には、枠飾りランプ基板４ｇ、各種ランプ基板４ｈ、４ｉ、各種ＬＥＤ基板４ｄ、４ｆ、２１ｆ、２２ｆ等が接続されている。これらの各種基板にランプ或いはＬＥＤが、１個又は複数個接続されている。そして、これらのランプ等は、ゲームの進行に対応して点灯・消灯または点滅する。
【００６９】
音声制御部１３０は、特別図柄制御部１１０と同様な演算回路構成要素１３１〜１３４、及びサウンドジェネレーター１３５を含んだ第四周辺制御基板１３８で構成され、入出力ポート１３４において共有バス９５に接続されている｛図５（ｃ）参照｝。また、サウンドジェネレーター１３５は、格納された音声データと音声モジュールとに基づいて、音量スイッチ基板１３６を介して接続されたスピーカー１３７より、ゲームの進行に対応した各種の音声出力を行う。更に、入出力ポート１３４に接続された音量スイッチ基板１３６は、図示しない音量スイッチの操作に伴い、出力音声の設定を行うものである。
【００７０】
枠飾りランプ基板４ｇ等の各種ランプやサウンドジェネレーター１３５は、特別図柄制御部１１０の制御による特別図柄の変動・停止表示態様、リーチ発生の有無、リーチ表示態様、特別遊技態様、及び遊技モード（確率変動、時短等）等に応じて、その態様は制御される。その制御信号は、ランプ制御部１２０或いは音声制御部１３０を作動指令対象とする指令信号として、前記共有バス９５を介して、主制御部９０又は特別図柄制御部１１０（インテリジェント制御の場合）から送信される。尚、特別図柄制御部１１０、ランプ制御部１２０及び音声制御部１３０は、主制御部９０や枠制御部１００と同様の回路から構成されるものとすることができる。即ち、主回路部と入出力回路部とから構成されるものとし、内部にＲＯＭ、ＲＡＭが内蔵されたＣＰＵを用いることもできる。
【００７１】
遊技機１の遊技の進行を司る制御方法は、主制御部９０により遊技の基本制御を実行し、該主制御部９０の基本制御による基本実行指令は、入出力回路部９４を経て、特別図柄制御部１１０、ランプ制御部１２０、音声制御部１３０へ送信される。そして、該特別図柄制御部１１０、ランプ制御部１２０、音声制御部１３０は、基本実行指令に基づき、該基本実行指令で定められた作動を、定められた作動態様により実行する。
【００７２】
例えば、前記主制御部９０の内蔵ＲＡＭ９２に格納された各種メモリに対応する作動を実行するに要する時間だけ所定の表示動作、音声出力、ランプの点灯／点滅等を実行し、その所定時間経過後、当たりの場合は対応するソレノイド（例えば、大入賞口の開閉板開閉用ソレノイド２３ｃ）を駆動したりする。この場合、主制御部９０は、タッチスイッチ１０ａ、発射スイッチ１０ｃ及び発射停止スイッチ１０ｂを除く各種検知器からの信号と、主制御部９０のＣＰＵ９１で発生させている乱数とにより、遊技を制御する。そして、その制御した結果を、特別図柄制御部１１０、ランプ制御部１２０及び音声制御部１３０へ作動信号として送信しており、逆に、特別図柄制御部１１０、ランプ制御部１２０及び音声制御部１３０から主制御部９０へは送信しないし、送信できないように構成している。
【００７３】
以下に、主制御部９０により実行されるメインジョブについての一例を、図６を参照して説明する。これは、主制御部９０のＲＯＭ９３（図１１）に格納されたプログラムに基づき、ＣＰＵ９１により実行されるジョブの一例である。即ち、スタックポインタを内蔵ＲＡＭ９２の所定のアドレスに設定した後｛Ｓ（ステップ）１０｝、初期化終了の判定が行われる（Ｓ２０）。初期化が終了していれば（Ｓ２０：ＹＥＳ）、ＬＥＤジョブ（Ｓ３０）からスイッチジョブ（７０）までのジョブが実行される。また、初期化が終了していなければ（Ｓ２０：ＮＯ）、初期化ジョブ（Ｓ１９０）が実行される。
【００７４】
ＬＥＤジョブ（Ｓ３０）においては、普通図柄及び普通図柄未始動回数の表示態様データや、特別図柄未始動回数の表示態様データ等が出力される。また、等速乱数ジョブ（Ｓ４０）では、内蔵ＲＡＭ９２の特別図柄当否判定乱数メモリや汎用カウントメモリ等が更新される。更に、非等速乱数ジョブ（Ｓ５０）では、外れ普通図柄乱数メモリ（図示略）が更新される。尚、汎用カウントメモリ（図示略）は、例えば、ユーザーリセットごとの「０」〜「２５５」の値の作成や、飾りジョブの実行等に使用される。
【００７５】
音声ジョブ（Ｓ６０）では、音楽や音声に関するデータの読み込みが行われ、スイッチジョブ（Ｓ７０）では、各種検知器の読み込みが行われる。即ち、（１）左右入賞口通過検知信号等の各種信号が主制御部９０に、（２）発射停止スイッチ信号、タッチスイッチ信号、発射スイッチ信号等の各種信号が発射中継基板４３ｂを介して発射装置制御基板４３ａに、それぞれ取り込まれる。また、第一種始動口（普通電動役物）入賞検知器１７ｓから第一種始動口入賞検知信号、変動入賞装置１８から入賞検知信号、及び普通図柄作動通過口検知信号が主制御部９０に取り込まれる。
【００７６】
カウント検知器２３ｓ、特定領域通過検知器２３ｖ等に異常があるか否かが判定され（Ｓ８０）、異常がなければ（Ｓ８０：ＹＥＳ）、特別図柄メインジョブ（Ｓ９０）から音声ジョブ（Ｓ１１０）までジョブが実行される。また、異常（球詰まりや断線等）があれば（Ｓ８０：ＮＯ）、エラージョブ（Ｓ１３０）が実行される。更に、特別図柄メインジョブ（Ｓ９０）においては、主制御部９０と特別図柄制御部１１０とが協調して動作するための必要なデータに関するジョブが実行される。また、普通図柄メインジョブ（Ｓ１００）では、普通図柄及び普通図柄未始動回数の表示態様データの読み込みが行われる。また、音声ジョブ（Ｓ１１０）では、遊技状態に応じた音声データが出力される。
【００７７】
各フラグ状態がバックアップメモリにセットされ（Ｓ１４０）、賞球信号ジョブ（Ｓ１５０）、情報信号ジョブ（Ｓ１６０）、コマンドジョブ（Ｓ１７０）、及び残余時間ジョブ（Ｓ１８０）が実行される。ここで、賞球信号ジョブ（Ｓ１５０）においては、賞球払出しに関するデータの読み込みや出力が行われ、情報信号ジョブ（Ｓ１６０）では、他の制御部への情報出力に必要なデータの読み込みが行われる。また、コマンドジョブ（Ｓ１７０）では、特別図柄管理のためのコマンド出力が行われ、残余時間ジョブ（Ｓ１８０）では、非等速乱数の呼び出しや、汎用乱数メモリの更新が行われる。
【００７８】
上記メインジョブの一連の流れの中で実行される始動入賞｛第一種始動口（普通電動役物）１７への入賞｝時の当否判定ジョブに関して図７を参照して説明する。これらのジョブで使用する各種メモリは、図３に示す主制御部９０の内蔵ＲＡＭ９２（図１１参照）に格納され、代表的なもの（９２ａ〜９２ｍ）を図８に示す。
【００７９】
Ｓ２００において始動入賞があったか否かを確認し、ＹＥＳであれば、Ｓ２１０において特別図柄保留数メモリ９２ｂ（図８参照）に記憶されている保留数（未始動回数）を１インクリメントする。この保留数（未始動回数）が一定値（本実施例では、「４」）を越えていれば、その始動入賞は無効となり、Ｓ２５０へスキップする。また、一定値内の保留数（未始動回数）であれば、Ｓ２３０において、特別図柄当否判定乱数（以下、当否用乱数、又は判定乱数ともいう。）を発生させ｛プログラムを発生させても、所定の乱数発生回路を用いても何れでもよい（当否用乱数発生手段）｝、読み込んだ判定乱数値を、Ｓ２４０において、特別図柄当否判定乱数メモリ９２ａ（図８参照：以下、判定乱数メモリともいう。）に記憶する。このメモリは、読み込んだ判定乱数値を始動入賞の時系列にシフトメモリ形式で記憶している。
【００８０】
Ｓ２５０において、判定乱数メモリ９２ａ（図８参照）から記憶している最も古い先頭の乱数値を読み出す。また、Ｓ２６０において、大当たり番号メモリ９２ｇ（図８参照）から大当たり番号（当たり用判定値）を読み出す。そして、Ｓ２７０において、上記判定乱数値との比較を行い、両者が一致していれば「大当たり判定」となり、一致しなければ、「外れ判定」となる。ここで、「大当たり判定」の場合には、Ｓ２８０に進み、大当り図柄決定乱数（識別情報決定用乱数）を発生させ、これを読み込んでその決定乱数値を大当たり図柄決定乱数メモリ９２ｃに記憶する。
【００８１】
尚、大当たり図柄決定乱数の読み込みは、始動入賞時に当否用乱数と同時に読み込まれているが、当たり判定決定と同時に、或いは、当たり判定決定後の所定の時間後に読み込むものとしてもよい。また、Ｓ３００において、「大当たり」という判定結果（本実施例では、「１」）を判定結果メモり９２ｉ（図８参照）に記憶する。更に、大当たり図柄決定乱数と同時に、リーチ態様決定乱数を発生させ、これを読み込んで、その決定乱数値をリーチ態様決定乱数メモリ９２ｊ（図８参照）に記憶している（Ｓ２９５）。
【００８２】
この大当たり図柄決定乱数値で指定される特別図柄は、特別図柄表示部１１０のＲＯＭ１１３｛図３及び図５（ａ）参照｝に格納されている特別図柄画像データに基づいて、前記液晶表示盤１２ａに、変動表示状態を経た後、定められた配列態様で表示される（例えば、「７、７、７」の３桁同一図柄の配列態様）。尚、上記特別図柄画像データを、大当たり図柄決定乱数値と対応付けて識別情報決定用値とし、主制御部９０の内蔵ＲＡＭ９２に記憶しておく。そして、読み込んだ大当たり図柄決定乱数値と、この識別情報決定用値とを比較することで、停止表示する図柄を決定するものとしてもよい。
【００８３】
リーチ態様決定乱数値で指定されるリーチ表示態様は、特別図柄表示部１１０のＲＯＭ１１３｛図３及び図５（ａ）参照｝に格納されているリーチ表示態様画像データに基づいて、前記液晶表示盤１２ａに、変動表示状態を経た後、定められたリーチ態様で表示される。尚、この場合も、上記リーチ表示態様画像データを、リーチ態様決定乱数値と対応付けてリーチ態様決定用値とし、主制御部９０の内蔵ＲＡＭ９２のリーチ表示態様決定用値メモリ９２ｋに記憶しておく。そして、読み込んだリーチ態様決定乱数値と、このリーチ態様決定用値とを比較することで、表示するリーチ態様を決定するものとしてもよい。
【００８４】
外れ判定となった場合には、Ｓ２７０からＳ３１０に進み、外れリーチジョブを行うかどうかを乱数値により決定する。即ち、Ｓ３１０において、リーチ態様決定乱数を発生させ、これを読み込み、他方、Ｓ３２０において、リーチ番号メモリ９２ｈ（図８参照）に記憶されているリーチ番号を読み出す。そして、Ｓ３３０において、両者が一致していれば外れリーチジョブとなり、一致していなければ通常外れジョブとなる。
【００８５】
外れリーチジョブの場合は、Ｓ３４０へ進み、少なくとも揃えるべき２つの特別図柄（例えば、３種類の特別図柄のうち、左図柄と右図柄）を、外れリーチ図柄決定乱数（また、左図柄の乱数を参照し、それに右図柄を一致させるようにしてもよい。）を使用して決定し（Ｓ３４０）、外れリーチ図柄番号メモリ９２１に記憶する（Ｓ３５０）。また、Ｓ３６０において、外れ中図柄を乱数により同様に決定し、Ｓ３７０において決定した乱数値を、中図柄番号メモリ９２ｆに記憶する。更に、Ｓ３８０において、「外れリーチ」という判定結果（本実施例では「２」）を、判定決定メモリ９２ｉに記憶する。
【００８６】
一方、通常外れジョブの場合は、Ｓ３９０に進み、各特別図柄（例えば、左図柄、右図柄及び中図柄）を、それぞれ乱数により決定し、決定した各乱数値をそれぞれ対応する外れ左図柄メモリ９２ｄ、外れ右図柄メモリ９２ｅ、外れ中図柄メモリ９２ｆに、夫々記憶する（Ｓ３９０〜Ｓ４４０）。また、Ｓ４５０において、「通常外れ」という判定結果（本実施例では「３」）を、判定決定メモリ９２ｉに記憶する。
【００８７】
上記メインジョブの一連の流れの中で実行される、特別図柄メインジョブの概略の流れについて、図９を参照して説明する。Ｓ５００において、第一種始動口（普通電動役物）１７への遊技球の入賞に基づき、特別図柄表示装置１６における液晶表示盤１２ａで各特別図柄の変動表示を開始させる。例えば、左右及び中の図柄を、上から下、下から上へスクロール変動させる。次いで、Ｓ５１０において、判定決定メモリ９２ｉから図７に示す当否判定ジョブで得られた各入賞に対する判定結果を読み出す。
【００８８】
具体的には、大当たり判定（「１」）の場合（Ｓ５２０：ＹＥＳ）、Ｓ５８０に進み、上述したリーチ態様決定乱数値に対応するリーチ態様決定用値メモリ９２ｋに記憶されているリーチ態様決定用値を読み出す。更に、Ｓ６００に進み、大当たり番号（識別情報決定用値）を大当たり番号メモリ（決定用値記憶手段）９２ｇ（図６参照）から読み出し、Ｓ６１０に進んで、例えば、左図柄及び右図柄を同一図柄に揃えて所定のリーチ表示態様を経た後に、中図柄を、左図柄及び右図柄を同一図柄に揃えて停止表示させ、確定させる。
【００８９】
一方、外れ判定（「２」）の場合（Ｓ５３０：ＹＥＳ）、Ｓ５７０に進み、上述した外れリーチ図柄番号メモリ９２ｌから外れリーチ図柄番号と、外れ中図柄番号メモリ９２ｆから外れ中図柄番号を読み出す。そして、Ｓ５７１において、読み出した外れリーチ図柄番号と外れ中図柄番号とを比較し、それらの差異に基づき、外れリーチ態様を決定する（Ｓ５７２）。
【００９０】
具体的には、Ｓ５７１において、それらの番号の差（即ち、例えば、左図柄と中図柄との差）を算出し、その差に基づいて外れリーチ態様メモリ９２ｍから外れリーチ態様データを読み出す。例えば、差が「−１」の場合（即ち、例えば、中図柄が左図柄の１つ前の図柄となる場合）、複数種類（例えば、３種類）の外れスーパーリーチの中から１種が選択され（例えば、所定の乱数取得により選択することができる。）、読み出される。その後、例えば、左図柄及び右図柄を同一図柄に揃えて、所定のリーチ表示態様を経た後に、中図柄を、他の図柄とは異なる図柄で停止表示させ、確定させる。
【００９１】
通常外れ判定（「３」）の場合（Ｓ５４０）、Ｓ５５０に進み、外れ各図柄番号を、外れ図柄番号メモリ９２ｅ、外れ中図柄番号メモリ９２ｆからそれぞれ読み出し、Ｓ５６０に進んで、各特別図柄（例えば、左図柄、右図柄及び中図柄）を、相互にずれたタイミングで停止表示させ、確定させる。尚、通常外れ判定の場合も、表示態様を「すべり表示」等により種々の態様に変化させることも可能である。この場合、その表示態様画像データを、上記リーチ態様決定乱数値と対応付け、通常外れ表示態様決定用値として、主制御部９０の内蔵ＲＡＭ９２の通常外れ表示態様決定用メモリ（図示略）に記憶しておく。そして、読み込んだリーチ態様決定乱数値と通常外れ表示態様決定用値とを比較することで、表示する通常外れ態様を決定するものとしてもよい。
【００９２】
大当たり判定により、液晶表示盤１２ａには、所定の配列態様で特別図柄が確定表示され（例えば、「７、７、７」の３桁同一図柄の配列態様）、その後、特別遊技が実行される（特別遊技状態若しくは大当たり遊技状態）。そして、特別遊技状態においては、先ず、変動入賞装置１８の開閉板２３ｂが開放状態となり、大入賞口２３への遊技球の入賞が、遊技者にとって優位な遊技球受入状態となる。
【００９３】
尚、インテリジェント制御方式の場合には、前記Ｓ３３０までのステップを主制御部９０で実行し、それ以降のステップを特別図柄制御部１１０で実行させる。これにより、主制御部９０と特別図柄制御部１１０等の周辺制御部（第一周辺制御基板〜第四周辺制御基板等）との制御負担割合を均等化し、資源の効率的な活用を図ることができる。この場合は、例えば、Ｓ５００からＳ５３０のステップは主制御部９０で実行し、それ以降は特別図柄制御部１１０で実行させることになる。
【００９４】
上記特別遊技状態において、大入賞口２３の遊技球受入状態は、終了条件が成立するまで継続される。例えば、解放状態が所定時間ｔ1 （例えば、３０秒）経過したとき、若しくはカウント検知器２３ｓに所定数ｎ1 （例えば、１０個）の入賞が検知されたときに、終了条件が成立し、遊技球受入状態は一旦終了して、開閉板２３ｂが閉鎖状態となって１ラウンドが終了する。この開閉板２３ｂが閉鎖された所定時間ｔ2 （例えば、１秒）経過した後に、所定の継続条件（図示しない特定領域への通過）が成立していれば、再び、開閉板２３ｂが解放状態となり、大入賞口２３は遊技球受入状態となる。尚、このような終了条件までを１ラウンドとする遊技球受入状態は、所定の最高継続ラウンド数（本実施例では１８０ラウンド）まで、繰り返し継続される。また、終了条件成立時に、継続条件が不成立の場合は、特別遊技状態が、そのラウンドで終了（いわゆるパンク）するものとなっている。
【００９５】
パチンコ機１においては、当たり判定により前記特別図柄表示装置１６の前記表示盤１２ａに停止表示された特別図柄の種類に基づき、上記特別遊技状態の終了後、次の大当たりまで当否判定の確率（大当たり確率）を変更（向上）させる確率変更手段が備えられている。具体的には、予め記憶されている上記大当たり図柄決定乱数値が、確率変更用乱数値と非確率変更用乱数値とから構成され、各乱数値の取得に応じて確率変更用図柄又は非確率変更用図柄が停止表示される。その停止表示された図柄が確率変更用図柄の場合、上記特別遊技状態の終了後、次の大当たりまで当否判定の確率（大当たり確率）が、通常の約４〜１０倍に向上するものとされている。
【００９６】
（５）制御基板装置の構造と組付方法
次に、前述の第１の制御基板装置４２と、第２の制御基板装置４４とについて詳細に説明する。ここで、第１の制御基板装置４２は、図１２及び１３に示すように、主制御部９０を構成する制御基板（主制御基板）９８｛図４（ａ）参照｝を、ケース（主制御基板ケース）２００内に封止するように組み付けて構成されるものである。また、第２の制御基板装置４４も、枠制御部１００（払出制御部１００ａ）を構成する制御基板（第１周辺基板）１０８｛図４（ｂ）参照｝を、ケース（枠制御基板ケース）４００に封止するように組み付けて構成されるものである。
【００９７】
先ず、図１４及び１５を中心にして、第１の制御基板装置４２を構成する主制御基板９８について説明する。この主制御基板９８は、導体パターン３０９等の形成された基板用基材３００に、所定の電子部品３２０等を実装して構成されるものである｛図１８（ａ）参照｝。また、この基板用基材３００（主制御基板９８）は、図１４（ａ）及び（ｂ）に示すように、略矩形状の平面形状を備えており、一側縁側の領域を接続端子（例えば、コネクター）３２１（図１２を参照）が配設される端子領域３００ａとし、その他の領域を電子部品３２０等の実装が行われる実装領域３００ｂとしている。
【００９８】
実装領域３００ｂの略４隅には、基板用基材３００（主制御基板９８）をケース（主制御基板ケース）２００に取り付けるときに用いる取付孔３０２が、実装領域３００ｂの表裏を貫通する状態に設けられている。また、実装領域３００ｂの裏面においては、位置決め手段３０３が取付孔３０２を略取り囲む状態に突出形成されている。この位置決め手段３０３は、図１５（ａ）及び（ｂ）に示すように、切り欠き部を備えた円形部３０３ｄを主体に構成されている。即ち、略虫眼鏡形状に設けられ、基板用基材３００の側縁側に切り欠き部を備えた円形部３０３ｄと、この切り欠き部から基板用基材３００の側縁側に設けられた一対の直線部３０３ｅとを備えている。
【００９９】
次に、図１６〜１８を用いて、この主制御基板９８の製造方法を簡単に説明する。先ず、基板用基材（絶縁基板）３００の表裏面に、銅箔３０４ｂを接着して構成される銅張積板｛図１６（ａ）｝に、ＮＣ多軸ボール盤等を用いて「孔あけ」が施される｛図１６（ｂ）｝。この「孔あけ」は、基板用基材３００のうちで、部品孔（スルーホール）３０８の形成部位や、取付孔３０２の形成部位等に施される。次いで、この基板用基材３００に触媒の付与、無電解銅メッキ｛図１６（ｃ）｝を施した後に、電解銅メッキを施し、銅箔３０４ｂ上にメッキ層３０５を形成する｛図１６（ｄ）｝。
【０１００】
続いて、この基板用基材３００の表裏面に、エッチングレジスト（例えば、ドライフィルム）３０６ａを装着する｛図１７（ａ）｝。そして、製造用マスク（フォトマスク）３０６ｂ｛図１７（ａ）｝を利用しつつ、エッチングレジスト３０６ａのうちで、導体パターン３０９に対応する部分と、位置決め用ランド３０３ａに対応する部分とを露光・現像し、この露光した部分に耐エッチング性被膜３０６ｃを残す｛図１７（ｂ）｝。尚、位置決め用ランド３０３ａは、前述の位置決め手段３０３のうちの下層部を構成する部分である。
【０１０１】
次いで、エッチング液を銅箔３０４ｂ面に噴射し、銅箔３０４ｂのうちで不要な部分を溶解除去する｛図１７（ｃ）｝。このとき、銅箔３０４ｂのうちで必要な部分、即ち、導体パターン３０９に対応する部分と、位置決め用ランド３０３ａに対応する部分とが、溶解されずに残る。更に、薬品を用いて、エッチングレジスト（耐エッチング性被膜３０６ｃ）を除去すると、導体パターン３０９と、位置決め用ランド３０３ａとが露出する｛図１７（ｄ）｝。
【０１０２】
続いて、図１８（ａ）に示すように、基板用基材３００の適所に、ハンダレジスト３０７を塗布した後に、この基板用基材３００に電子部品３２０等を搭載しつつ、ハンダ漕（図示を省略）を用いて、ハンダ付けを行えば、導体パターン３０９の適所（例えば、部品孔３０８周りのランド部分）に、ハンダ層３０８ａが積層形成されると共に、部品孔３０８内に、ハンダ層３０８ａが充填形成され、電子部品３２０の実装が完了し、主制御基板９８を完成する。本実施例では、この電子部品３２０の実装と同時に、位置決め用ランド３０３ａの表面に、メッキ層３０５を介在させた状態の位置決め用ハンダ層３０３ｂが形成される。即ち、電子部品３２０の実装と同時に、基板用基材３００に、位置決め用ランド３０３ａと、位置決め用ハンダ層３０３ｂ等とで構成される位置決め手段３０３が形成される。
【０１０３】
ところで、上述のように、本実施例の製造方法によると、簡単な改良が施された製造用マスク３０６ｂを用いるだけで、位置決め手段３０３（位置決め用ランド３０３ａだけでもよい。）を備えた制御基板（主制御基板）９８が得られる。即ち、位置決め手段を備えない通常の制御基板を製造する場合には、導体パターンに対応する部分に耐エッチング性被膜を残すような製造用マスクが使用されるが、本実施例では、導体パターン３０９に対応する部分に加えて、位置決め用ランド３０３ａに対応する部分に耐エッチング性被膜３０６ｃを残すような製造用マスク３０６ｂが使用される。このように、簡単な改良が加えられた製造用マスク３０６ｂを用いる他は、通常の制御基板を製造する場合と同様な製造工程を実施すれば、位置決め手段３０３（位置決め用ランド３０３ａだけでもよい。）が得られる。即ち、通常の制御基板を製造方法を実施する場合に比べて、その工程を大きく変更するまでもなく、本実施例に係る制御基板（主制御基板９８）が得られる。
【０１０４】
尚、制御基板の製造工程は、本実施例で例示するものに限定されない。また、本実施例では、制御基板として両面プリント基板を例示したが、この制御基板は片面プリント基板であってもよい。更に、本実施例では、制御基板として単層基板を例示したが、この制御基板は多層基板であってもよい。また、本実施例では、遊技機用の制御基板を例示する。更に、図１８（ａ）は、挿入実装方式を図示するが、電子部品の実装方式は表面実装方式であっても、挿入実装方式及び表面実装方式が混在してもよい。
【０１０５】
次に、図１２、１３、１９〜２５を用いて、ケース（主制御基板ケース）２００について説明する。このケース２００は、第１のケース部２１０と、第２のケース部２３０と、第３のケース部２６０と、封止手段２７０とを備えている。
【０１０６】
第１のケース部（ケース本体）２１０は樹脂を用いて作製した一体成形品であり、図２０に示すように、上方部に開口部２１１を有する略容器形状を備え、略矩形状の底板部２１２の外縁から４角枠状の外壁部２１３を立ち上げている。また、底板部２１２のうちで、外壁部２１３の内側の部位からは、４角枠状の内壁部２１４を立ち上げている。この内壁部２１４は、背の高い平面形状が略コの字状の内壁板２１４ａと、背の低い平面形状が略コの字状の内壁板２１４ｂとを４角枠状に組み合わせて構成されている。
【０１０７】
第１のケース部２１０の内部空間のうちで、内壁部２１４に取り囲まれた部分は、基板用基材３００（主制御基板９８）の収納部を構成している。また、この収納部のうちで、背の高い内壁板２１４ａで取り囲まれた部位が、実装領域３００ｂを収納するための実装領域収納部位２１４ｃであり、背の低い内壁板２１４ｂで取り囲まれた部位が、端子領域３００ａを収納するための端子領域収納部位２１４ｄである。
【０１０８】
底板部２１２のうちで、実装領域収納部位２１４ｃの４隅側に位置する部位からは、略円筒状の取付部２１５が立ち上げられている。但し、図１９及び２０においては、２つの取付部２１５のみを図示している。この取付部２１５は、本来の制御基板の取付部材としての機能の他に、位置決め用突部としても機能する。また、この取付部２１５は、上端面（突端面）に、雌ネジ部２１５ａを開口させる（図１３参照）と共に、側面を平面略矩形状のリブ２１５ｂによって内壁部２１４と一体化させている｛図１５（ｃ）参照｝。そして、取付部２１５とリブ２１５ｂとの一体品が、前述の位置決め手段３０３内に嵌入可能な形状・サイズ（略虫眼鏡状の平面形状）を備えている。また、実装領域収納部位２１４ｃ内に補強用リブ２１６ａが配設されていると共に、端子配設領域２１４ｄ内にも補強用リブ２１６ｂが配設されている。
【０１０９】
外壁部２１３は、４つの外壁板２１３ａ〜２１３ｄで構成され、このうちの１個の外壁板２１３ａからは、第１の重ね合わせ部２１７が薄肉状のリブ２１７ａを介在させた状態で配置されている。この重ね合わせ部２１７は、図２１（ｂ）及び図２２に示すように、下方に開口する円筒容器形状を備えており、上方の天板部２１７ｂの中心位置に挿通孔２１７ｃを有している。本実施例では、このような重ね合わせ部２１７を４つ備えており、各重ね合わせ部２１７は、薄肉状のリブ２１７ａを介して外壁板２１３ａに固定されていると共に、連接する他の重ね合わせ部に対しても、薄肉状のリブ２１７ａを介して固定されている。
【０１１０】
また、図２０及び２５に示すように、この外壁板２１３ａにおいて第１の重ね合わせ部２１７の両脇の部位からは、第１の雄型のスライド嵌合部２１８が突出している。また、底板部２１２の外面において、外壁板２１３ａに近接する２個所からは、略Ｌ字状の係止部２１９ａが突出している。この係止部２１９ａは、底板部２１２を始点に垂下した後に屈曲し、突端を外壁板２１３ａの外側に突出させる状態となっている。更に、外壁部２１３ａと対向する外壁部２１３ｂにおいては、上端面上に５つの第２の雌型のスライド嵌合部２２０が並設されている。また、底板部２１２の外面において、外壁板２１３ｂに近接する２個所からは、略Ｌ字状の係止部２１９ｂが突出している。この係止部２１９ｂは、底板部２１２を始点に垂下した後に屈曲し、突端を外壁板２１３ｂの外側に突出させる状態となっている。
【０１１１】
また、残りの一対の外壁板２１３ｃ、２１３ｄでは、図２０に示すように、長手方向に沿ってレール部２２２を各々配置している。このレール部２２２は、図２４に示すように、開口部を上方に向けた略Ｌの字状の縦断面を備えており、このレール部２２２内に、複数のスライド係合部２２３を略等間隔に配置している。このスライド係合部２２３は、図２３に示すように、レール部２２２の底面から垂設される縦板状のストッパ２２３ｂと、横板状の摺動部２２３ａと、を一体的に備えた略Ｌ字形状に形成されている。尚、ストッパ２２３ｂは、第１のケース部２１０と、第２のケース部２３０とを相対的に摺動させ、両ケース部２１０、２３０をスライド係合させる際に、スライド方向に沿った終端側に配置されている。
【０１１２】
第２のケース部（ケース蓋）２３０も、樹脂を用いて作製した一体成形品であり、図１９に示すように、下方側に開口部２３１を有する略容器形状を備えている。但し、この第２のケース部を単なる蓋状に形成してもよいし、前述の第１のケース部２１０が蓋状に形成されてもよい。また、略矩形状の上板部２３２の外縁から略４角枠状の外壁部２３３を垂下させている。また、この外壁部２３３は、４つの外壁板２３３ａ〜２３３ｄで構成されている。更に、上板部２３２には、第２のケース部２３０と、第１のケース部２１０とを重ね合わせてケース２００を閉鎖したときに、端子配設領域３００ａと対向する部位に通過窓２３４ａを形成している。また、上板部２３２の残部は、この通過窓２３４ａよりも隆起した隆起部２３４ｂとされている。
【０１１３】
図１９に示すように、外壁部２３３を構成する１つの外壁板２３３ａの近傍には、第２の重ね合わせ部２３７が配置されている。即ち、図２１（ａ）及び図２２に示すように、第２の重ね合わせ部２３７は、外壁板２３３ａから略水平に突出する板状部２３７ｂから上方に立ち上げられると共に、重ね合わせ部２３７、外壁板２３３ａ及び板状部２３７ｂ間に形成されたリブ２３７ａによって補強されている。この重ね合わせ部２３７は柱形状を備え、外壁板２３３ａの幅方向に沿って４個立ち上げられている。また、重ね合わせ部２３７の下面では、案内穴２３７ｃが開口されている。また、図１９に示すように、この外壁板２３３ａにおいて、第２の重ね合わせ部２３７の両脇の部位には、前述の「第１の雄型のスライド嵌合部２１８」と雌雄を反転させた第１の雌型のスライド嵌合部２４０が、この雄型のスライド嵌合部２１８と同間隔に同数配置されている。
【０１１４】
また、図１９に示すように、外壁部２３３ａと対向する外壁部２３３ｂにおいては、前述の「第２の雌型のスライド嵌合部２２０」と雌雄を反転させた第２の雄型のスライド嵌合部２３８が、この雌型のスライド嵌合部２２０と同間隔に同数配置されている。また、残りの一対の外壁板２３３ｃ、２３３ｄでは、長手方向に沿ってレール部２４２を各々配置している。このレール部２４２は、図２４に示すように、外壁板２３３ｃ、２３３ｄの下端から略水平に突出する水平板部２４２ａと、水平板部２４２ａの突端から垂下する垂下板部２４２ｂとによって断面略Ｌ字形状とされている。また、図２３に示すように、このレール部２４２内にも、複数のスライド係合部２４３が略等間隔に配置されている。このスライド係合部２４３は、レール部２４２の上面部から垂下するストッパ２４３ｂと、横板状の摺動部２４３ａと、を一体的に備えた略Ｌ字形状に形成されている。尚、このストッパ２４３ｂも、１のケース部２１０と、第２のケース部２３０とを相対的に摺動させ、両ケース部２１０、２３０をスライド係合させる際に、スライド方向に沿った終端側に配置されている。
【０１１５】
第３のケース部（接続端子装着部材）２６０も、樹脂を用いて作製した一体成形品である。また、図１３に示すように、端子配設領域３００ａの上方に配置される装着本体部２６１と、装着本体部２６１の長手方向に沿った一個の端縁から立ち上げられた第１のリブ２６２と、この一個の端縁の両脇側から水平に突出する取付代２６３と、装着本体部２６１の裏面側において、上記「一個の端縁」以外の端縁から垂下する第２のリブ２６５とを備えている。また、図１９に示すように、装着本体部２６１には、３個の接続端子通過窓２６１ａが設けられ、更に、取付代２６３には、挿通孔２６３ａが貫通状に設けられている。
【０１１６】
次に、制御基板（主制御基板）９８を、ケース（主制御基板ケース）２００内に組み付けるための手順について簡単に説明する。先ず、図１３に示すように、制御基板９８を、開口部２１１を通じて第１のケース部２１０内に挿入・固定する。このとき、制御基板９８の裏面の位置決め手段３０３と、取付部２１５及びリブ２１５ｂと、を位置合わせすれば、制御基板９８の第１のケース部２１０への位置決めを円滑に行うことができ、これにより、取付孔３０２と取付部（位置決め用突部）２１５の雌ネジ部２１５ａとが、容易に位置合わせされる。位置決め手段３０３は、制御基板９８の裏面から略虫眼鏡形状に垂下する壁状物として構成され、また、取付部２１５及びリブ２１５ｂの一体品の上端面は、この壁状物内に嵌入可能な形状（即ち、略虫眼鏡状の平面形状）を備えるからである。
【０１１７】
即ち、制御基板９８を第１のケース部２１０に位置合わせする際に、取付部２１５や雌ネジ部２１５ａは制御基板９８に隠蔽されるが、制御基板９８を、第１のケース部２１０を基準に適宜、前後・左右に摺動させれば、位置決め手段３０３に、「取付部２１５及びリブ２１５ｂの一体品」を容易に嵌入させることができる。これにより、制御基板９８及び第１のケース部２１０の位置決め、ひいては、取付孔３０２と雌ネジ部２１５ａとの位置合わせを円滑に行うことができる。しかも、本実施例では、位置決め手段３０３と、「取付部２１５及びリブ２１５ｂの一体品」とが、回転非対称な方向性を持った平面形状を備えると共に、位置決め手段３０３及び一体品の数が複数（本実施例では４つを例示）であるため、制御基板９８及び第１のケース部２１０間の位置決め精度が高くなっている。
【０１１８】
この制御基板９８の第１のケース部２１０への位置合わせによって、制御基板９８の実装領域３００ｂが、第１のケース部２１０の実装領域収納部位２１４ｃに収納され、制御基板９８の端子配設領域３００ａが、第１のケース部２１０の端子領域収納部位２１４ｄに収納される。
【０１１９】
次いで、第３のケース部（接続端子装着部材）２６０が、端子領域収納部位２１４ｄに配置される。このとき、図１３に示すように、第２のリブ２６５の下端面が、底板部２１２に当接し、第３のケース部２６０の装着本体部２６１と、「内壁板２１４ｃ及び補強用リブ２１６ｂ」との間に空間部２２７が形成される。そして、この空間２２７に端子配設領域３００ａが収容される。同時に、制御基板９８の端子配設領域３００ａに配設された接続端子（例えば、コネクター）３２１を、接続端子通過窓２６１ａに挿通させる。
【０１２０】
また、２個の取付代２６３が、実装領域３００ｂ上に進入し、この２個の取付代２６３の挿通孔２６３ａが、取付孔３０２のうちで端子配設領域３００ａに近接する２個の上方に位置合わせされる。そして、この２個の取付孔３０２においては、上方から取付代２６３、制御基板９８、取付部２１５の順に重ね合わせた状態で、ビス２０１の雄ネジ部を、挿通孔２６３ａ、取付孔３０２の順に通過させた後、雌ネジ部２１５ａに螺合させる。これにより、第３のケース部２６０を第１のケース部２１０に固定する。併せて、端子配設領域３００ａから離間する２個の取付孔３０２においては、制御基板９８、取付部２１５の順に重ね合わせた状態で、ビス２０１の雄ネジ部を雌ネジ部２１５ａに螺合する。そして、制御基板９８の実装領域３００ｂの４隅が対応する４つの取付部２１５に螺子止めされ、制御基板９８の第１のケース部２１０への固定を完了する。この螺子止作業においては、前述の如く、位置決め手段３０３への 「取付部２１５及びリブ２１５ｂの一体品」の嵌入によって、制御基板９８及びケース２００間の位置決め状態が堅固に維持されているため、機械（組付機）を用いても、この作業中に制御基板９８の位置ずれを生ずることはなく、この作業が円滑に行われる。
【０１２１】
続いて、第１のケース部２１０の開口部２１１に、第２のケース部２３０の開口部２３１を重ね合わせてケース２００を閉鎖する。この閉鎖作業に際しては、先ず、図２３に示すように、第１のケース部２１０の各レール部２２２上に、第２のケース部２３０の対応関係にある各レール部２４２を対向状態で配置する。このとき、第２のケース部２３０を、第１のケース部２１０に対して相対的に、第２の重ね合わせ部２３７の方向に位置ズレを生じた状態とする。
【０１２２】
これにより、図２３に示すように、各レール部２４２内の各スライド係合部２４３は、各レール部２２２内の各スライド係合部２４３のうちで、対応関係にあるものよりも後退した状態となる。また、図２４に示すように、レール部２４２の水平板部２４２ａは、外壁部２１３ａ（外壁板２１３ｃ、２１３ｄ）の上端面に摺動可能に支持されると共に、各レール部２４２の垂下板部２４２ｂは各レール部２２２内に挿入されながら、各レール部２２２の垂設板部２２２ｂと摺動可能な状態で当接する。このため、第１のケース部２１０及び第２のケース部２３０は、各ケース部２１０（２３０）において隣り合う他のレール部２４２（レール部２２２）の方向（底板部２１２や上板部２３２の表裏面と平行な平面内）に、相対的な移動を行うことが禁止される。
【０１２３】
次いで、両ケース部２１０、２３０の重ね合わせ部２１７、２３７を重ね合わせる方向に向かって、両ケース部２１０、２３０を相対的にスライドさせると、対応するレール部２２２、２４２内において、対応関係にあるスライド係合部２２３、２４３がスライド状に係合する。そして、スライド量を増加させると、対応関係にあるスライド係合部２２３、２４３のストッパー（２２３ａ及び２４３ａ）同士が当接し、第１のケース部２１０と第２のケース部２３０とのスライド量を更に増加させることが禁止される。尚、上記「スライド係合」とは、第１のケース部２１０のスライド係合部２２３と、第２のケース部２３０のスライド係合部２４３とがスライド状に係合すると共に、重ね合わされた第１のケース部２１０と、第２のケース部２３０とが、重ね合わされた方向と逆方向（ケース２００の開放方向であって、底板部２１２や上板部２３２と垂直な方向）へ離間することを禁止するように係合することである。また、スライドとは、重ね合わせ方向と垂直な方向に移動させることをいう。
【０１２４】
また、同時に、図２５に示すように、第１の雄型のスライド嵌合部２１８が第１の雌型のスライド嵌合部２４０に嵌合し、第２の雄型のスライド嵌合部２３８が第２の雌型のスライド嵌合部２２０に嵌合する。尚、上記「スライド嵌合」とは、第１のケース部２１０のスライド嵌合部２１８、２２０と、第２のケース部２３０のスライド嵌合部２３８、２４０とがスライド状に嵌合すると共に、重ね合わされた第１のケース部２１０と、第２のケース部２３０とが、重ね合わされた方向と逆方向（ケース２００の開放方向であって、底板部２１２や上板部２３２と垂直な方向）へ離間することを禁止するように嵌合することである。また、スライドとは、重ね合わせ方向と垂直な方向に移動させることをいう。
【０１２５】
また、図２２に示すように、両ケース部２１０、２３０の重ね合わせ部２１７、２３７が重ね合わされた状態となる。即ち、４つの第１の重ね合わせ部２１７の天板部２１７ｂと、４つの第２の重ね合わせ部２３７とが重ね合わされた状態となり、対応関係にある挿通孔２１７ｃと案内穴２３７ｃとが位置合わせされる。そして、所定の一個の重ね合わせ部２１７の開口部から、封止手段（戻り止めボルト）２７０を挿入し、この封止手段２７０の雄ネジ部を挿通孔２１７ｃ及び案内穴２３７ｃに螺入する。尚、この挿通孔２１７ｃ及び案内穴２３７ｃの内径は、封止手段（戻り止めボルト）２７０の外径よりも小さくされている。また、封止手段（戻り止めボルト）２７０は、挿通孔２１７ｃ及び案内穴２３を通じて、重ね合わせ部２１７、２３７に一旦、ねじこまれると（螺入される）、取り外し方向へは回転不能となっている。これにより、第１のケース部２１０と第２のケース部２３０とは、重ね合わせを行う方向と逆方向（底板部２１２や上板部２３２の表裏面と直交する方向）への離間を禁止された状態となる。同時に、各スライド係合部２２３、２４３の係合を解除する方向へのスライドも禁止された状態となり、ケース２００の封止状態が堅固に維持される。
【０１２６】
また、監督官庁等の検査機関の検査等の際には、第１のケース部２１０と、第２のケース部２３０とを離間させ、ケース２００の封止状態を解除することが必要となる。このとき、使用状態にある第１の重ね合わせ部２１７（即ち、封止手段２７０を用いている重ね合わせ部２１７）において、隣接する他の第１の重ね合わせ部２１７との間に介在されたリブ２１７ａ、及び、外壁部２１３（外壁板２１３ａ）との間に介在された２１７ａを、ニッパー等の工具で切断する。これにより、第１の重ね合わせ部２１７と、第２の重ね合わせ部２３７との固定が解除される。そして、対応するスライド係合部間（２２３及び２４３）の係合と、対応するスライド嵌合部間（２１８及び２４０、２２０及び２４０）の嵌合と、を解除する方向に向かって、第１のケース部２１０と第２のケース部２３０とを相対的にスライドさせると、第１のケース部２１０及び第２のケース部２３０を離間させることができる。
【０１２７】
尚、制御基板（第１周辺基板）１０８においても、制御基板９８と同様な位置決め手段３０３を同様な方法で形成している。また、ケース（枠制御基板ケース）４００も、ケース２００と同様な構造を備える。このため、本実施例においては、制御基板（第１周辺基板）１０８及びケース（枠制御基板ケース）４００の説明を省略する。また、本実施例では、主制御部９０を構成する制御基板９８を１個のケース２００に収納し、払出制御部１００ａを含む（を構成する）制御基板１０８を他のケース４００に収納する態様を例示したが、主制御部９０を構成する制御基板９８と払出制御部１００ａを含む（を構成する）制御基板１０８とを同一のケースに収納することもできる。また、主制御部９０や払出制御部１００ａ以外の制御部を構成する制御基板を、本実施例に例示したケース２００、４００に収納してもよい。
【０１２８】
以上のように構成される制御基板装置４２（４４）では、位置決め手段３０３と、取付部（位置決め用突部）２１５とを位置合わせして、制御基板９８（１０８）とケース２００（４００）との位置決めを行う。即ち、制御基板９８（１０８）をケース２００（４００）内に収納する際に、取付部（位置決め用突部）２１５が、制御基板９８（１０８）の下方に隠蔽される。ところが、制御基板９８（１０８）を適宜、左右・前後等に移動すると、取付部（位置決め用突部）２１５の上端側が、位置決め手段３０３内に容易に嵌入するため、制御基板９８（１０８）とケース２００（４００）との位置決めを簡単に行うことができ、制御基板装置４２（４４）の組付作業の効率が向上する。特に、本実施例では、位置決め用ランド３０３ａに、位置決め用ハンダ層３０３ｂを積層形成し、突出量が多くなった位置決め手段３０３を用いて制御基板９８（１０８）とケース２００（４００）との位置決めを行うため、制御基板装置４２（４４）の組付作業の効率を更に高くしている。また、このように、制御基板９８（１０８）とケース２００（４００）との位置決めを確実に行うことができるため、機械を用いた自動組付を行うが容易となり、制御基板装置４２（４４）の量産を効率的に行うことができる。
【０１２９】
また、本実施例では、導体パターン３０９を形成する際に、位置決め用ランド３０３ａをあわせて形成する。即ち、位置決め用ランド３０３ａの形成工程を、別途独立の工程として、制御基板９８（１０８）の製造工程に付加することが必要とされないため、この位置決め用ランド３０３ａの形成が原因で、制御基板装置４２（４４）の製造上の手間を多くすることはない。更に、本実施例では、ハンダを用いて電子部品３２０を実装する際に、位置決め用ハンダ層３０３ｂをあわせて形成する。即ち、位置決め用ハンダ層３０３ｂの形成工程を、別途独立の工程として制御基板９８（１０８）の製造工程に付加することが必要とされないため、位置決め用ハンダ層３０３ｂの形成が原因となり、制御基板装置４２（４４）の製造上の手間を多くすることはない。
【０１３０】
本実施例では、第１のケース部２１０と、第２のケース部２３０とを重ね合わせて連結し、閉鎖状態のケース２００としている。このとき、第１のケース部２１０と第２のケース部２３０とを直ちに閉鎖状態となるように重ね合わせるのではなく、第１のケース部２１０と、第２のケース部２３０とを、意識的に位置ズレを生じた状態で重ね合わせてから、第１のケース部２１０と第２のケース部２３０とを相対的にスライドさせ、第１のケース部２１０と第２のケース部２３０を閉鎖状態に連結している。
【０１３１】
即ち、（ａ）第１のケース部２１０に、第２のケース部２３０を装着して構成されるケース２００において、（ｂ）第１のケース部２１０にスライド係合部２２３を設けると共に、第２のケース部２３０に該スライド係合部２２３とスライド係合するスライド係合部２４３を設ける。そして、（ｃ）第１のケース部２１０と、第２のケース部２３０とを位置ズレ（重ね合わせ方向と垂直な方向、例えば、底板部２１２や上板部２３２の表裏面と平行な方向への位置ずれ）を生じた状態で重ね合わせた後、（ｄ）第１のケース部２１０と、第２のケース部２３０とを相対的にスライドさせて、両ケース部２１０、２３０のスライド係合部２２３、２４３をスライド係合しつつ、第１のケース部２１０と、第２のケース部２３０とを閉鎖状態に連結することを特徴とするケース２００であってもよい。また、この（ａ）〜（ｄ）の構成要件を備えるケース２００において、（ｅ）第１のケース部２１０の１個の側面部（例えば、本実施例の外壁板２１３ａ）と、該１個の側面部と連結される第２のケース部２３０の１個の側面部（例えば、外壁板２３３ａ）と、に重ね合わせ部を配設し、連結状態とされた該第１のケース部２１０の重ね合わせ部２１７と、該第２のケース部２３０の重ね合わせ部２３７との間に封止手段２７０を介在させ、前記ケース２００が開放されることを禁止してもよい。尚、（ａ）〜（ｄ）の構成要件を備えるケース２００において、第１のケース部２１０及び第２のケース部２３０の双方を略容器形状としてもよいが、第１のケース部２１０及び第２のケース部２３０の一方を単なる略板状の蓋体としてもよい。
【０１３２】
また、（ｆ）第１のケース部２１０に、第２のケース部２３０を装着して構成されるケース２００において、（ｇ）第１のケース部２１０にスライド嵌合部２１８、２２０を設けると共に、第２のケース部２３０に該スライド嵌合部２１８、２２０とスライド嵌合するスライド嵌合部２３８、２４０を設ける。そして、（ｈ）第１のケース部２１０と、第２のケース部２３０とを位置ズレ（重ね合わせ方向と垂直な方向、例えば、底板部２１２や上板部２３２の表裏面と平行な方向への位置ずれ）を生じた状態で重ね合わせた後、（ｉ）第１のケース部２１０と、第２のケース部２３０とを相対的にスライドさせて、前記両者のスライド嵌合部（２１８及び２４０、２２０及び２３８）をスライド嵌合しつつ、第１のケース部２１０と、第２のケース部２３０とを閉鎖状態に連結することを特徴とするケース２００であってもよい。また、この（ｆ）〜（ｉ）の構成要件を備えるケース２００において、（ｊ）第１のケース部２１０の１個の側面部（例えば、本実施例の外壁板２１３ａ）と、該１個の側面部と連結される第２のケース部２３０の１個の側面部（例えば、外壁板２３３ａ）と、に重ね合わせ部を配設し、連結状態とされた該第１のケース部２１０の重ね合わせ部２１７と、該第２のケース部２３０の重ね合わせ部２３７との間に封止手段２７０を介在させ、前記ケース２００が開放されることを禁止してもよい。また、この（ｆ）〜（ｉ）の構成要件を備えるケース２００において、第１のケース部２１０及び第２のケース部２３０の双方を略容器形状としてもよいが、第１のケース部２１０及び第２のケース部２３０の一方を単なる略板状の蓋体としてもよい。
【０１３３】
本実施例と異なり、第１のケース部２１０と、第２のケース部２３０とを、直ちに閉鎖状態となるように重ね合わせるタイプのケース２００であると、ケース２００の封止状態を確実に維持するためには、第１のケース部２１０の複数の側面部と、該複数の側面部と各々連結される第２のケース部２３０の複数の側面部と、に重ね合わせ部を配設することが必要となる。そして、第１のケース部２１０と第２のケース部２３０とが連結状態とされたときに、両ケース部２１０、２３０の複数の側面部に配設された重ね合わせ部２１７、２３７毎に、封止手段２７０を介在させ、前記ケース２００が開放されることを禁止することが必要である。このように、第１のケース部２１０及び第２のケース部２３０の複数の側面部に、重ね合わせ部２１７、２３７を配設することになると、その分、ケース２００の構造が複雑化するおそれがある。また、制御基板装置４２（４４）に封止作業を施すときに、第１のケース部２１０及び第２のケース部２３０の複数の側面部に配設された重ね合わせ部２１７、２３７間に、各々封止手段２７０を介在させることが必要なため、この封止作業が煩雑となるおそれがある。更に、制御基板装置４２（４４）の封止を解除する作業を施すときに、第１のケース部２１０及び第２のケース部２３０の複数の側面部において、解除作業（例えば、リブ２１７ａをニッパー等で工具で切断する作業）を行うことが必要なため、この解除作業が煩雑となるおそれがある。
【０１３４】
一方、上記（ａ）〜（ｄ）の構成要件、及び、上記（ｆ）〜（ｉ）の構成要件のうちの少なくとも一方を具備するケース２００においては（本実施例では双方を具備している。）、第１のケース部２１０のスライド係合部２２３と、第２のケース部２３０のスライド係合部２４３とのスライド係合（第１のケース部２１０のスライド嵌合部２１８、２２０と、第２のケース部２３０のスライド嵌合部２３８、２４０とのスライド嵌合）によって、少なくとも、第１のケース部２１と、第２のケース部２３０と、が重ね合わせ方向と逆方向に離間することを禁止される。従って、第１のケース部２１０及び第２のケース部２３０の一個の側面部に重ね合わせ部を配設し、この一個の側面部の重ね合わせ部間に封止手段を介在させれば、十分な封止状態が得られる。このように、第１のケース部２１０及び第２のケース部２３０、ひいては、ケース２００の構造を単純化できる。また、制御基板装置４２（４４）に封止作業を施したり、封止を解除する作業を施すときに、第１のケース部２１０及び第２のケース部２３０の１個の側面部において、これらの作業を行えば足りるため、これらの作業を円滑に行うことができる。
【０１３５】
更に、（ｋ）略容器形状に構成される第１のケース部２１０の開口部２１１側に第２のケース部２３０を装着して構成されるケース２００において、（ｌ）前記第１のケース部２１０が、接続端子（例えば、コネクター）３２１を収納する端子領域収納部位２１４ｄを備え、（ｍ）第２のケース部２３０の前記端子領域収納部位２１４ｄと対向する部位に開放部（本実施例では、通過窓２３４ａを例示）を設けると共に、（ｎ）接続端子３２１と位置合わせされる接続用窓（本実施例では、接続端子通過窓２６１ａを例示）を備えた第３のケース部（接続端子装着部材）２６０を前記第２のケース部２３０の開放部に装着することを特徴とするケース２００であってもよい。尚、第２のケース部２３０は、開口部２３１を有する略容器形状であっても、単なる略板状の蓋体であってもよい。また、開放部は、本実施例の通過窓２３４ａのように、窓状（孔状）のものに限定されず、例えば、切り欠き状のものであってもよい。
【０１３６】
ケース２００を第１のケース部２１０と、第２のケース部２３０のみで構成する場合には、第２のケース部２３０に直接、接続用窓を形成することが必要である。ところが、各制御基板に配設される接続端子（例えば、コネクター）のサイズ、形状、数、配置間隔等は、個々の制御基板毎に異なるのが一般的である。よって、第２のケース部２３０に直接、接続用窓を形成する場合には、ケース２００の汎用性が低くなる。即ち、接続端子のサイズ、形状、数、配置間隔等が異なる制御基板毎に、異なる大きさ、形状、数、配置間隔等を異にする接続用窓を備えたケースを使い分けることが必要である。
【０１３７】
これに対して、上記（ｋ）〜（ｎ）の構成要件を具備するケース２００では、接続用窓を、第３のケース部２６０に形成する。このため、対象となる制御基板に配設される接続端子のサイズ、形状、数、配置間隔等に応じて、第３のケース部のみを、この接続端子のサイズ、形状、数、配置間隔等に対応する接続用窓を備えたものに変更すればよい。即ち、ケース２００の構成部材として、第３のケース部を付加することで、１種類の「第１のケース部２１０及び第２のケース部２３０」を、接続端子のサイズ、形状、数、配置間隔等が異なる種々の制御基板の共通部品として汎用的に用いることができる。
【０１３８】
尚、上記（ａ）〜（ｄ）の構成要件を具備するケース２００、上記（ｆ）〜（ｉ）の構成要件を具備するケース２００、上記（ｋ）〜（ｎ）の構成要件を具備するケース２００等において、参考発明〜参考発明１０のうちの何れかの発明に係る構成要件を更に具備していてもよい。
【０１３９】
位置決め手段３０３の平面形状は、本実施例に示すものに限定されず、例えば、円形、楕円形、三角形、多角形、半円状、円弧形、半多角形状等の種々の形状を選択できる。但し、本実施例の如く、円形部３０３ｄに切り欠き部を設ける等として位置決め手段３０３に方向性を付与すれば（回転対称軸を備えない形状とする。）、この位置決め手段３０３を頼りに、制御基板９８（１０８）と、ケース２００との位置決めをより円滑に行うことができる。
【０１４０】
また、本実施例では、取付部２１５が、位置決め用突部として使用される態様を例示したが、図１８（ｂ）に示すように、取付部２７５と、位置決め用突部２７６とを別体としてもよい。また、本実施例では、位置決め手段３０３によって形成される壁状の部分に、位置決め用突部を挿入（嵌入）する態様を例示した。
【０１４１】
また、本実施例では、４つの位置決め手段３０３（位置決め用ランドであっても同様）を用いて位置合わせを行う態様を例示したが、位置決め手段３０３（位置決め用ランド）の数は特に問わない。即ち、位置決め手段３０３（位置決め用ランド）を対称性が乏しい形状とすれば、最小数の位置決め手段３０３（位置決め用ランド）を用いて、制御基板９８（１０８）と、ケース２００との位置決めをより円滑に行うことができる。例えば、位置決め手段３０３（位置決め用ランド）の平面形状を不等辺三角形とし、位置決め用突部の突端面に、この位置決め手段３０３（位置決め用ランド）と凹凸が反転した部分を設け、この部分を位置決め手段３０３（位置決め用ランド）を挿入（嵌入）するものとすれば、位置決め手段３０３（位置決め用ランド）の数が、たとえ、１つであっても、制御基板９８（１０８）と、ケース２００との位置決めをより円滑に行うことができるからである。
【０１４２】
更に、本実施例では、封止手段２７０として、戻り止めボルトを用いたが、通常のボルトとこのボルトに戻り止め状態で螺合される戻り止めナットとで、封止手段を構成してもよい。具体的には、重ね合わせ状態とされる重ね合わせ部２１７、２３７を、通常のボルトの頭部と、戻り止めナットとで挟持すればよい。この態様では、戻り止めナットを破壊しない限り、ケース２００の封止状態を解除することはできない。
【０１４３】
（６）制御基板装置等の配設態様
次に、図２に示す機構盤３１に配設すべき遊技装置、例えば遊技の制御を行うための制御基板（例えば、主制御基板９８）、電源供給のための電源ユニット４６等の、該機構盤３１への配設態様について説明する。図２６に示すように、機構盤３１には、その略中央部に開口した中央窓部８６０が形成されており、その開口の下縁部８６１は、図２９に示すように、金属板８７０を懸架可能な金属板懸架部８６１とされている。
【０１４４】
具体的には、図２９に示すように機構盤３１の金属板懸架部８６１は、縁部が断面コの字状に折り返された形態の引掛用リブ８６１とされている。また、金属板懸架部（引掛用リブ）８６１の外縁角８６１ａは、角を取った形態で鈍角状に又は円弧状に曲げられており、これにより懸架する金属板８７０との摩擦等による機構盤３１の摩耗等を防止ないし抑制している。前記金属板懸架部８６１の断面形状を円弧状８６１ｂ、８６１ｃとした変形例を図３３（ａ）、（ｂ）に示す。
【０１４５】
金属板８７０は、図２７及び２８に示すように、その上辺部の一部を鉤状ないしコ字状に折り曲げないし屈曲させた形態の鉤状部（屈曲部）８７１、８７１を備える。このような鉤状部８７１、８７１を機構盤３１の金属板懸架部８６１に懸架させることにより、金属板８７０を機構盤３１に対して着脱自在に配設することが可能となり得る。また、金属板８７０の下辺部には、１ないし複数箇所（本実施例では２箇所）の丸孔８７２、８７２が設けられている。この丸孔８７２、８７２に図３１及び３２に示す釦式固定具８３０を挿入して、該金属板８７０を機構盤３１に固定することが可能とされている。
【０１４６】
釦式固定具８３０は、操作部８３１と作用部８３４とからなり、工具等を用いずに操作部８３１を操作可能とされており、操作があった場合には作用部８３４が所定の作用をなし、該作用に基づいて２つの目的物、本実施例の場合は金属板８７０と機構盤３１との締結・離脱が行われるものとされている。具体的には、作用部８３４は拡径部とされ、複数に分割（通常４つ）された拡径子を備えており、操作部８３１は摘み部とされ、該摘み部を押し込むと摘み部の先端部８３５が前記拡径子を内部から押し広げるように作用する。この作用に基づいて、例えば作用部８３４の外径が丸孔８７２の孔径よりも大きくなり、金属板８７０と機構盤３１とが固定される。
【０１４７】
次に、金属板８７０の中央やや右寄りには段部８７３が形成され、段部８７３よりも左寄りには低段の左領域８７３ａが、段部８７３よりも右寄りには高段の右領域８７３ｂがそれぞれ形成されている。これは、機構盤３１に配設される遊技装置において、例えば右領域８７３ｂには比較的高さの高い遊技装置、例えば賞球払出装置３７（図２及び３参照）及び賞球払出用の通路、払い出す遊技球を上皿５と下皿６に振り分ける振分装置、第四周辺制御基板（音声制御基板）１３８｛図３及び図５（ｃ）参照｝、電源ユニット４６（図３参照）等が配設されており、その内、特に上皿５と下皿６の振分装置の高さが高く出っ張っており、金属板８７０が一平面であると前記振分装置に接触し、金属板８７０を遊技盤８（図１参照）と平行に設置できないようになるためである。そこで、金属板８７０に段差を設け、振分装置等のように比較的高さの高い遊技装置と接触しなくなるようにして、金属板８７０が遊技盤８、ひいては遊技機本体とほぼ平行に配置することができるようにしたものである。段部８７３の高さは、遊技機に配設される各遊技装置の寸法と配設位置により適宜決定されるが、概ね５〜４０ｍｍ程度とするのがよい。しかして、金属板８７０の左辺側には高さの高い遊技装置を配設しても、遊技機全体の奥行きが大きくなることを回避可能となった。
【０１４８】
また、図２７によると、金属板８７０には、略Ｌ字孔状の複数の被係止部８７４〜８７７と、金属板８７０の周縁部から内方に向かった切込み８７８〜８８０と、略舌形状に構成される可撓片８８１〜８８３と、切込孔部８８４〜８８６と、が設けられている。そして、これらの被係止部８７４〜８７７等に、前述の制御基板装置４２（４４）等の遊技装置が係止され、遊技装置を機構盤３１に配設することが可能となっている。尚、金属板８７０の上下方向に沿って隣り合う被係止部（８７４及び８７７、８７５及び８７６）は、Ｌ字を相互に逆方向に向けている。
【０１４９】
尚、金属板８７０に装着乃至取り付けられる制御基板装置４２（４４）においては、接続端子（コネクタ）３２１を、ケース２００（４００）等の一つの側面側に集中させることが好ましい。即ち、接続端子３２１を一側部に集めると、この接続端子３２１に接続されているリード線の長さに僅かな余裕を持たせることにより、例えば釦式固定具８３０（図３０参照）の操作部８３１を手前に引き出す操作を行い、金属板８７０の下辺部の機構盤３１に対する固定を解放すれば、図３１に模式的に示すように、鉤状部８７１，８７１を支軸として金属板８７０の下辺部を上方へ回動させて持ち上げることが可能となり得る。これにより、金属板８７０の裏面側又はその裏面側に対応する機構盤３１に装着されている各種遊技装置、機器の点検、交換を容易に行うことができるようになる。また、接続端子３２１が制御基板９８の上辺部以外にある場合には、リード線長に大きな余裕を持たせるか、リード線長に十分な余裕がない時は、リード線を接続端子３２１から離脱すれば、金属板８７０を回動して持ち上げることが可能となり得る。
【０１５０】
制御基板装置４２は、金属板８７０の左領域８７３ａに、以下の要領で取り付けられる。即ち、第１のケース部２１０の底面を金属板８７０側に向け、第２のケース部２３０の上面を手前に向け、しかも、接続端子３２１（通過窓２３４ａ）を手前に向けた状態とする。そして、ケース２００の上方において、左右に並ぶ係止部２１９ｂを、金属板８７０の左領域８７３ａ上方側の左右に並ぶ被係止部８７４に位置合わせする。また、ケース２００の下方において左右に並ぶ係止部２１９ａのうちの一方（本実施例では、向かって左側の係止部２１９ａ）を、左領域８７３ａ下方側の被係止部８７７に位置合わせし、他方（本実施例では、向かって左側の係止部２１９ａ）を、可撓片８８１に位置合わせする。そして、ケース２００のうちで、可撓片８８１の前方に位置する個所を押さえ、可撓片８８１を背後に撓ませながら、ケース２００を所定の方向（本実施例では、向かって右方向）へ移動することにより、被係止部８７４に位置合わせされた係止部２１９ｂは、被係止部８７４の小孔部へ移行し、被係止部８７７に位置合わせされた係止部２１９ａは、被係止部８７７の小孔部へ移行すると共に、可撓片８８１に位置合わせされた係止部２１９ａは、切込孔部８８４に嵌入する。
【０１５１】
更に、可撓片８８１は元の位置に戻り、切込孔部８８４に嵌入した係止部２１９ａの側面に衝立することとなり、制御基板装置４２は金属板８７０に固定される。また、金属板８７０の下方を釦式固定具８３０（図３０参照）等の固定手段にて着脱自在に固定する。このような方法により取り付けられた制御基板装置４２は、可撓片８８１を背後に撓ませ、同時に、制御基板装置４２を所定方向（本実施例では、向かって右方向）へ移動しない限り金属板８７０から取り外すことができない。
【０１５２】
制御基板装置４２の配設態様として以上の態様を採用すると、この制御基板装置４２を、ビス等の部品を用いることなく、ドライバー等の工具も用いることなく、金属板８７０へ取り付けたり、取り外したりすることができる。尚、制御基板装置４４も、制御基板装置４２と同様な手法によって、金属板８７０の右領域８７３ｂの下半側に取り付けることができる。
【０１５３】
また、金属板８７０の右領域８７３ｂの上半側には、端子基板４９等を収納した制御基板装置８９０、即ち、制御基板装置４２、４４よりも、小型の制御基板装置８９０を取り付けることができる。即ち、図３２は、この小型の制御基板装置８９０の側面図（ａ）及び底面図（ｂ）である。この制御基板装置８９０の底面には、Ｌ字状の係止部８９２，８９２，８９３及びＩ字状の係止部８９４が設けられている。尚、この小型の制御基板装置８９０についても、参考発明１〜参考発明１０のうちの何れかの発明を適用することができる。
【０１５４】
この場合、係止部８９２，８９２を金属板８７０の係止孔８８７，８８７に、係止部８９３を係止孔８８８に、係止部８９４は、略舌状の可撓片８８２に、各々当て嵌め押えながら制御基板装置８９０を所定方向（本実施例では、左方向）へ移動すると、各々の各係止部８９２，８９２，８９３が、係止孔８８７，８８７、８８８に嵌合し、係止部８９４は切込８７９に嵌め込まれる。そして、可撓片８８２がフリー位置（定常状態）に戻り、係止部８９４の側面に衝立して、制御基板装置８９０が金属板８７０に固定装着される。
【０１５５】
本実施例では、以上のように、制御基板装置４２，４４、８９０の金属板８７０への装着を嵌め込みスライド式で行った。即ち、本実施例においては、Ｌ字状の突起爪（係止部）を用い、制御基板装置４２，４４、８９０等の金属板８７０への取付け（嵌合）は、制御基板装置４２，４４、８９０を上下左右に移動して行われる。したがって、制御基板装置４２，４４、８９０を確実且つ簡便に金属板８７０に組付けることが可能となる。また、金属板８７０に対する制御基板装置４２，４４、８９０の装着／取外しを多数回繰り返した場合において、可撓片の劣化が生じた場合においても確実に制御基板装置４２，４４、８９０の固定保持がなされる。
【０１５６】
また、面替え時においては、主制御基板９８は交換しなければならないが、金属板８７０は非交換部品とすることができる。主制御基板を収容する主制御基板ケースの多くは主制御基板とともに交換されるが、主制御基板９８とケース２００との接続部の仕様を同一とした場合には、そのケース２００を開放して主制御基板９８のみ交換すると、ケース２００も非交換部品とすることができるため、省資源化に寄与することも可能となり得る。さらに、本実施例の遊技機においては、機構盤３１に懸架された金属板８７０に対してケース２００を配設したため、金属板８７０が例えば静電気等により発生するノイズ（電磁波）を遮蔽し、例えば主制御基板９８における作動制御信号へのノイズの混入を防止ないし抑制することが可能となり、より正常な遊技進行を行うことが可能となり得る。
【０１５７】
【発明の効果】
以上記述したように本発明によれば、制御基板装置の組付作業の効率を向上させることができる。
【図面の簡単な説明】
【図１】本発明の一実施例による制御基板装置を適用したパチンコ機を示す正面図である。
【図２】本実施例のパチンコ機を示す裏面図である。
【図３】本実施例のパチンコ機が備える電子制御装置を示すブロック図である。
【図４】（ａ）は図３の電子制御装置を構成する主制御部の説明図であり、（ｂ）は図３の電子制御装置を構成する枠制御部の説明図である。
【図５】（ａ）は図３の電子制御装置を構成する特別図柄制御部の説明図であり、（ｂ）は図３の電子制御装置を構成するランプ制御部の説明図であり、（ｃ）は図３の電子制御装置を構成する音声制御部の説明図である。
【図６】主制御部が行うメインジョブを説明するためのフローチャートである。
【図７】当否判定ジョブを説明するためのフローチャートである。
【図８】主制御部の内蔵ＲＯＭに格納された各種メモリの代表例を示す説明図である。
【図９】特別図柄メインジョブの概略を説明するためのフローチャートである。
【図１０】本実施例の主制御部を示す説明図である。
【図１１】本実施例の主制御部を構成するＣＰＵを示す説明図である。
【図１２】本実施例の制御基板装置を示す平面図である。
【図１３】図１２の１−１縦断面図である。
【図１４】（ａ）は本実施例の制御基板（導体パターン、電子部品等は省略）を示す平面図であり、（ｂ）は底面図である。
【図１５】（ａ）は図１３の１０−１０縦断面図であり、（ｂ）は図１３の２０−２０縦断面図であり、（ｃ）は図１３の３０−３０縦断面図である。
【図１６】（ａ）〜（ｄ）は、本実施例の制御基板の製造工程を示す説明図である。
【図１７】（ａ）〜（ｄ）は、本実施例の制御基板の製造工程を示す説明図である。
【図１８】（ａ）は電子部品の実装工程と位置決め手段とを示す説明図であり、（ｂ）は変形例に係る位置決め手段を示す説明図である。
【図１９】本実施例のケースを示す分解斜視図である。
【図２０】図１９の第１のケース部を示す拡大斜視図である。
【図２１】（ａ）は第２のケース部の重ね合わせ部を説明するための一部平面図であり、（ｂ）は第１のケース部の重ね合わせ部を説明するための一部平面図である。
【図２２】（ａ）及び（ｂ）はケースの封止方法を説明するためのものであり、図１２の５−５縦断面図である。
【図２３】スライド係合部を説明するためのものであり、図１２の２−２縦断面図である。
【図２４】（ａ）及び（ｂ）は、レール部を説明するためのものであり、図１２の３−３縦断面図である。
【図２５】（ａ）及び（ｂ）は、スライド嵌合部を説明するためのものであり、図１２の４−４縦断面図である。
【図２６】本実施例の金属板を懸架させた機構盤を示す正面図である。
【図２７】本実施例の金属板を示す正面図である。
【図２８】本実施例の金属板を示す斜視図である。
【図２９】（ａ）は機構盤の金属板懸架部を示す拡大斜視図であり、（ｂ）は側面図である。
【図３０】（ａ）及び（ｂ）は、釦式固定具の構成を示す説明図である。
【図３１】金属板の回動態様を示す説明図である。
【図３２】（ａ）は小型の制御基板装置を示す側面図であり、（ｂ）は小型の制御基板装置を示す底面図である。
【図３３】（ａ）及び（ｂ）は、機構盤の金属板懸架部の断面を円弧状にした変形例を示す側面断面図である。
【符号の説明】
１；パチンコ機（遊技機）
４２、４４；制御基板装置
９０；主制御部
９８，１０８；制御基板
１００ａ；払出制御部
２００、４００；ケース
２１０；第１のケース部
２３０；第２のケース部
２１５；位置決め用突部（取付部）
２６０；第３のケース部
２７０；封止手段
２７６；位置決め用突部
３０３；位置決め手段
３０３ａ；位置決め用ランド
３０３ｂ；位置決め用ハンダ層。
【図１】
0004203625.tif 000002
【図２】
0004203625.tif 000003
【図３】
0004203625.tif 000004
【図４】
0004203625.tif 000005
【図５】
0004203625.tif 000006
【図６】
0004203625.tif 000007
【図７】
0004203625.tif 000008
【図８】
0004203625.tif 000009
【図９】
0004203625.tif 000010
【図１０】
0004203625.tif 000011
【図１１】
0004203625.tif 000012
【図１２】
0004203625.tif 000013
【図１３】
0004203625.tif 000014
【図１４】
0004203625.tif 000015
【図１５】
0004203625.tif 000016
【図１６】
0004203625.tif 000017
【図１７】
0004203625.tif 000018
【図１８】
0004203625.tif 000019
【図１９】
0004203625.tif 000020
【図２０】
0004203625.tif 000021
【図２１】
0004203625.tif 000022
【図２２】
0004203625.tif 000023
【図２３】
0004203625.tif 000024
【図２４】
0004203625.tif 000025
【図２５】
0004203625.tif 000026
【図２６】
0004203625.tif 000027
【図２７】
0004203625.tif 000028
【図２８】
0004203625.tif 000029
【図２９】
0004203625.tif 000030
【図３０】
0004203625.tif 000031
【図３１】
0004203625.tif 000032
【図３２】
0004203625.tif 000033
【図３３】
0004203625.tif 000034